(57)【要約】本出願は、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することにより、ＳＲＳを２Λ回送信する処理において、Λ個のアンテナグループの各々を介してＳＲＳが少なくとも１回送信されるようにするステップであって、ｎSRSは０以上の整数であり、Λは３以上の正の整数である、ステップと、端末デバイスによって、ｎSRS回目のＳＲＳ伝送中に、シーケンス番号がａ（ｎSRS）であるアンテナグループに含まれるアンテナポートを介してＳＲＳを送信するステップと、を含むサウンディング基準信号伝送方法を提供する。本出願で提供される技術的解決策は、３つのアンテナグループのＳＲＳアンテナ選択を実装できる。実施形態で提供される方法は、Ｖ２Ｘ通信システム、ＬＴＥ−Ｖ通信システム、Ｖ２Ｖ通信システム、車両のインターネット通信システム、ＭＴＣ通信システム、ＩｏＴ通信システム、ＬＴＥ−Ｍ通信システム、Ｍ２Ｍ通信システム、またはモノのインターネット通信システムなどの通信システムに適用され得る。
2021520132.tif 000002
【特許請求の範囲】
【請求項１】
サウンディング基準信号伝送方法であって、
端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することにより、前記ＳＲＳを２Λ回送信する処理において、前記Λ個のアンテナグループの各々を介して前記ＳＲＳが少なくとも１回送信されるようにするステップであって、ｎSRSは０以上の整数であり、Λは３以上の正の整数である、ステップと、
前記端末デバイスによって、ｎSRS回目のＳＲＳ伝送中に、シーケンス番号がａ（ｎSRS）である前記アンテナグループに含まれるアンテナポートを介して前記ＳＲＳを送信するステップと、
を含む、方法。
【請求項２】
端末デバイスによって、サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記端末デバイスによって、前記ＳＲＳの前記伝送量のシーケンス番号ｎSRS、前記アンテナグループの数量Λ、および前記ＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択することにより、（ｎSRS＋ｉＫ）回目に前記ＳＲＳを送信するアンテナグループのシーケンス番号ａ（ｎSRS＋ｉＫ）と（ｎSRS＋（ｉ−１）Ｋ）回目に前記ＳＲＳを送信するアンテナグループのシーケンス番号ａ（ｎSRS＋（ｉ−１）Ｋ）とが異なるように、および／または前記（ｎSRS＋ｉＫ）回目に前記ＳＲＳを送信する前記アンテナグループの前記シーケンス番号ａ（ｎSRS＋ｉＫ）と（ｎSRS＋（ｉ＋１）Ｋ）回目に前記ＳＲＳを送信するアンテナグループのシーケンス番号ａ（ｎSRS＋（ｉ＋１）Ｋ）とが異なるようにするステップであって、１≦ｉ≦（Λ−２）であり、Ｋは０より大きい正の整数である、ステップを含む、請求項１に記載の方法。
【請求項３】
端末デバイスによって、サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記端末デバイスによって、前記ＳＲＳの前記伝送量のシーケンス番号ａ（ｎSRS）および前記アンテナグループの数量Λに基づいて、前記Λ個のアンテナグループからシーケンス番号がａ（ｎSRS）である前記アンテナグループを選択することにより、ｎSRS回目に前記ＳＲＳを送信するための前記アンテナグループのシーケンス番号ａ（ｎSRS）と、（ｎSRS＋Λ）回目に前記ＳＲＳを送信するためのアンテナグループのシーケンス番号ａ（ｎSRS＋Λ）とが異なるようにするステップを含む、請求項１に記載の方法。
【請求項４】
前記端末デバイスによって、前記ＳＲＳの前記伝送量のシーケンス番号ｎSRS、前記アンテナグループの数量Λ、および前記ＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択するステップは、
ＫがΛの整数倍であるとき、次式：
【数１】
2021520132.tif 000055
に従って、前記端末デバイスによって前記ＳＲＳを送信するための前記アンテナグループのシーケンス番号ａ（ｎSRS）を決定するステップを含み、
【数２】
2021520132.tif 000056
は（ｎSRS/Ｋ）以下の最大の整数を表すために使用され、
【数３】
2021520132.tif 000057
は
【数４】
2021520132.tif 000058
をΛで除算することにより得られる余りを表すために使用される、請求項２に記載の方法。
【請求項５】
前記端末デバイスによって、前記ＳＲＳの前記伝送量のシーケンス番号ｎSRSおよび前記アンテナグループの数量Λに基づいて、前記Λ個のアンテナグループの中からシーケンス番号がａ（ｎSRS）である前記アンテナグループを選択するステップは、
ＫがΛの整数倍であるとき、次式：
【数５】
2021520132.tif 000059
に従って、前記端末デバイスによって前記ＳＲＳを送信するための前記アンテナグループのシーケンス番号ａ（ｎSRS）を決定するステップを含み、
【数６】
2021520132.tif 000060
は
（ｎSRS/Λ）以下の正の最大の整数を表すために使用され、
【数７】
2021520132.tif 000061
は
【数８】
2021520132.tif 000062
をΛで除算することにより得られる余りを表すために使用される、請求項３に記載の方法。
【請求項６】
端末デバイスによって、サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記端末デバイスによって、次式：
【数９】
2021520132.tif 000063
に従って、前記ＳＲＳを送信するための前記アンテナグループのシーケンス番号ａ（ｎSRS）を決定するステップを含み、
【数１０】
2021520132.tif 000064
【数１１】
2021520132.tif 000065
であり、
【数１２】
2021520132.tif 000066
は
【数１３】
2021520132.tif 000067
をΛで除算して得られる余りを表すために使用される、請求項１から３のいずれか一項に記載の方法。
【請求項７】
端末デバイスによって、サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記端末デバイスによって、次式：
【数１４】
2021520132.tif 000068
に従って、前記ＳＲＳを送信するための前記アンテナグループのシーケンス番号ａ（ｎSRS）を決定するステップを含み、
【数１５】
2021520132.tif 000069
【数１６】
2021520132.tif 000070
である、請求項１から３のいずれか一項に記載の方法。
【請求項８】
端末デバイスによって、サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記端末デバイスによって、次式：
ａ（ｎSRS）＝ｎSRS  ｍｏｄΛ
に従って、前記ＳＲＳを送信するための前記アンテナグループのシーケンス番号ａ（ｎSRS）を決定するステップを含み、
ｎSRS  ｍｏｄΛはｎSRSをΛで除算して得られる余りを表すために使用される、請求項１に記載の方法。
【請求項９】
前記Λ個のアンテナグループの各々は、少なくとも２つの異なるアンテナポートを含み、前記Λ個のアンテナグループは、前記端末デバイスのすべてのアンテナポートを含む、請求項１から８のいずれか一項に記載の方法。
【請求項１０】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択することにより、前記ＳＲＳを２Λ回送信する処理において、前記Λ個のアンテナグループの各々を介して前記ＳＲＳが少なくとも１回送信されるようにすることであって、ｎSRSは０以上の整数であり、Λは３以上の正の整数であることと、
ｎSRS回目のＳＲＳ伝送中に、シーケンス番号がａ（ｎSRS）である前記アンテナグループに含まれるアンテナポートを介して前記ＳＲＳを送信することと、
を備えた、端末デバイス。
【請求項１１】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択することは、
前記ＳＲＳの前記伝送量のシーケンス番号ｎSRS、前記アンテナグループの数量Λ、および前記ＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択することにより、（ｎSRS＋ｉＫ）回目に前記ＳＲＳを送信するアンテナグループのシーケンス番号ａ（ｎSRS＋ｉＫ）と（ｎSRS＋（ｉ−１）Ｋ）回目に前記ＳＲＳを送信するアンテナグループのシーケンス番号ａ（ｎSRS＋（ｉ−１）Ｋ）とが異なるように、および／または（ｎSRS＋ｉＫ）回目に前記ＳＲＳを送信する前記アンテナグループの前記シーケンス番号ａ（ｎSRS＋ｉＫ）と（ｎSRS＋（ｉ＋１）Ｋ）回目に前記ＳＲＳを送信するアンテナグループのシーケンス番号ａ（ｎSRS＋（ｉ＋１）Ｋ）とが異なるようにすることであって、１≦ｉ≦（Λ−２）であり、Ｋは０より大きい正の整数であることを含む、請求項１０に記載のデバイス。
【請求項１２】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択することは、
前記ＳＲＳの前記伝送量のシーケンス番号ａ（ｎSRS）および前記アンテナグループの数量Λに基づいて、前記Λ個のアンテナグループからシーケンス番号がａ（ｎSRS）である前記アンテナグループを選択することにより、ｎSRS回目に前記ＳＲＳを送信するための前記アンテナグループのシーケンス番号ａ（ｎSRS）と、（ｎSRS＋Λ）回目にＳＲＳを送信するためのアンテナグループのシーケンス番号ａ（ｎSRS＋Λ）が異なるようにすることを含む、請求項１０に記載のデバイス。
【請求項１３】
前記ＳＲＳの前記伝送量のシーケンス番号ｎSRS、前記アンテナグループの数量Λ、およびＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択することは、
ＫがΛの整数倍であるとき、次式：
【数１７】
2021520132.tif 000071
に従って、前記ＳＲＳを送信するための前記アンテナグループのシーケンス番号ａ（ｎSRS）を決定することを含み、
【数１８】
2021520132.tif 000072
は（ｎSRS/Ｋ）以下の最大の整数を表すために使用され、
【数１９】
2021520132.tif 000073
は
【数２０】
2021520132.tif 000074
をΛで除算することにより得られる余りを表すために使用される、請求項１１に記載のデバイス。
【請求項１４】
前記ＳＲＳの前記伝送量のシーケンス番号ｎSRSおよびアンテナグループの数量Λに基づいて、前記Λ個のアンテナグループの中からシーケンス番号がａ（ｎSRS）である前記アンテナグループを選択することは、
ＫがΛの整数倍であるとき、次式：
【数２１】
2021520132.tif 000075
に従って、前記ＳＲＳを送信するための前記アンテナグループのシーケンス番号ａ（ｎSRS）を決定することを含み、
【数２２】
2021520132.tif 000076
は（ｎSRS/Λ）以下の正の最大の整数を表すために使用され、
【数２３】
2021520132.tif 000077
は
【数２４】
2021520132.tif 000078
をΛで除算することにより得られる余りを表すために使用される、請求項１２に記載のデバイス。
【請求項１５】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択することは、
次式：
【数２５】
2021520132.tif 000079
に従って、前記ＳＲＳを送信するための前記アンテナグループのシーケンス番号ａ（ｎSRS）を決定することを含み、
【数２６】
2021520132.tif 000080
【数２７】
2021520132.tif 000081
であり、
【数２８】
2021520132.tif 000082
は
【数２９】
2021520132.tif 000083
をΛで除算して得られる余りを表すために使用される、請求項１０から１２のいずれか一項に記載のデバイス。
【請求項１６】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択することは、
次式：
【数３０】
2021520132.tif 000084
に従って、前記ＳＲＳを送信するための前記アンテナグループのシーケンス番号ａ（ｎSRS）を決定することを含み、
【数３１】
2021520132.tif 000085
【数３２】
2021520132.tif 000086
である、請求項１０から１２のいずれか一項に記載のデバイス。
【請求項１７】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択することは、
次式：
ａ（ｎSRS）＝ｎSRS  ｍｏｄΛ
に従って、前記ＳＲＳを送信するための前記アンテナグループのシーケンス番号ａ（ｎSRS）を決定することを含み、
ｎSRS  ｍｏｄΛはｎSRSをΛで除算して得られる余りを表すために使用される、請求項１０に記載のデバイス。
【請求項１８】
前記Λ個のアンテナグループの各々は、少なくとも２つの異なるアンテナポートを含み、前記Λ個のアンテナグループは、前記端末デバイスのすべてのアンテナポートを含む、請求項１０から１７のいずれか一項に記載のデバイス。
【請求項１９】
メモリ、プロセッサ、およびトランシーバを備え、
前記メモリは、プログラムを記憶するように構成され、
前記プロセッサは、前記メモリに記憶されたプログラムを実行するように構成され、前記プログラムが実行されると、前記プロセッサは、前記トランシーバを介して請求項１から９のいずれか一項に記載の方法を実行する、端末デバイス。
【請求項２０】
コンピュータ命令を含み、前記コンピュータ命令が端末デバイス上で実行されるとき、前記端末デバイスは、請求項１から９のいずれか一項に記載の方法を実行することが可能になる、コンピュータ可読記憶媒体。
【発明の詳細な説明】
【技術分野】
【０００１】
本出願は、通信分野に関し、より具体的には、サウンディング基準信号伝送方法、端末デバイス、およびコンピュータ読み取り可能な記憶媒体に関する。
【背景技術】
【０００２】
ロングタームエボリューション（ｌｏｎｇ  ｔｅｒｍ  ｅｖｏｌｕｔｉｏｎ、ＬＴＥ）システムにおいて、サウンディング基準信号（ｓｏｕｎｄｉｎｇ  ｒｅｆｅｒｅｎｃｅ  ｓｉｇｎａｌ、ＳＲＳ）は、端末デバイスとネットワーク装置との間でチャネル状態情報（ｃｈａｎｎｅｌ  ｓｔａｔｅ  ｉｎｆｏｒｍａｔｉｏｎ、ＣＳＩ）を測定するための信号である。端末デバイスは、アンテナにＳＲＳを送信して各アンテナに対応する上りチャネル状態情報を取得し、ネットワーク装置は、受信したＳＲＳに基づいて、各アンテナに対応する上りチャネル状態を推定する。
【０００３】
端末デバイスに複数の受信アンテナが構成されている場合、全てのアンテナに対応する完全なチャネル情報を取得するためには、端末デバイスは、ＳＲＳ伝送のために複数のアンテナ間でアンテナ切り替え（すなわち、アンテナ選択）を行う必要がある。既存のＬＴＥプロトコルは、１Ｔ２Ｒアンテナ選択をサポートしている。具体的には、同時に、端末デバイスは、ＳＲＳ伝送用のアンテナ選択式に従って、２本のアンテナから１本のアンテナを選択する。
【０００４】
通信技術の継続的発展に伴い、２Ｔ４Ｒに対応した端末デバイスでは、ＳＲＳ伝送のために、同じ時点に４本のアンテナの中から２本のアンテナ（１つのアンテナグループ）を選択する必要がある。４本のアンテナは、２つのアンテナグループにグループ化してもよいし、３つのアンテナグループにグループ化してもよい。既存のＬＴＥプロトコルでサポートされている１Ｔ２Ｒアンテナ選択式は、３つのアンテナグループのＳＲＳアンテナ選択には適用できない。
【発明の概要】
【０００５】
本出願は、３つのアンテナグループに対するＳＲＳアンテナの選択をサポートするためのサウンディング基準信号伝送方法、端末デバイス、およびコンピュータ読み取り可能な記憶媒体を提供する。
【０００６】
第１の態様によれば、サウンディング基準信号伝送方法が提供される。方法は、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することにより、ＳＲＳを２Λ回送信する処理において、Λ個のアンテナグループの各々を介してＳＲＳが少なくとも１回送信されるようにするステップであって、ｎSRSは０以上の整数であり、Λは３以上の正の整数である、ステップと、端末デバイスによって、ｎSRS回目のＳＲＳ伝送中に、シーケンス番号がａ（ｎSRS）であるアンテナグループに含まれるアンテナポートを介してＳＲＳを送信するステップと、を含む。
【０００７】
上記の技術的解決手段において、端末デバイスは、ＳＲＳの伝送量のシーケンス番号ｎSRSおよびアンテナグループの数量Λに基づいて、Λ個のアンテナグループの中から、ＳＲＳを送信するためのアンテナグループを選択し、３つのアンテナグループのＳＲＳのアンテナ選択をサポートするようにしてもよい。このようにして、２Λ回分のＳＲＳを送信する処理において、少なくとも１回はΛ個のアンテナグループの各々を介してＳＲＳを送信することができる。
【０００８】
可能な実施形態において、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択するステップは、端末デバイスによって、ＳＲＳの伝送量のシーケンス番号ｎSRS、アンテナグループの数量Λ、およびＳＲＳの周波数ホッピング帯域幅に含まれるＳＲＳの伝送サブ帯域幅の数量Ｋに基づいて、Λ個のアンテナグループの中からシーケンス番号がａ（ｎSRS）であるアンテナグループを選択することにより、（ｎSRS＋ｉＫ）回目にＳＲＳを送信するアンテナグループのシーケンス番号ａ（ｎSRS＋ｉＫ）と（ｎSRS＋（ｉ−１）Ｋ）回目にＳＲＳを送信するアンテナグループのシーケンス番号ａ（ｎSRS＋（ｉ−１）Ｋ）とが異なるように、および／または（ｎSRS＋ｉＫ）回目にＳＲＳを送信するアンテナグループのシーケンス番号ａ（ｎSRS＋ｉＫ）と（ｎSRS＋（ｉ＋１）Ｋ）回目にＳＲＳを送信するアンテナグループのシーケンス番号ａ（ｎSRS＋（ｉ＋１）Ｋ）とが異なるようにするステップであって、ｉは整数であり、１≦ｉ≦（Λ−２）であり、Ｋは０より大きい正の整数である、ステップを含む。
【０００９】
上記の技術的解決策では、ＳＲＳをΛＫ回送信する処理において、ＳＲＳの周波数ホッピング帯域幅に含まれるＫ個のＳＲＳ伝送サブ帯域幅のうちのいずれかにおいて、Λ個のアンテナグループの各々を介してＳＲＳを１回送信することにより、Λ個のアンテナグループの各々を、Ｋ個のＳＲＳ伝送サブバンドにおいてトラバースすることができる。
【００１０】
可能な実装において、端末デバイスによって、ＳＲＳの伝送量のシーケンス番号ｎSRS、アンテナグループの数量Λ、およびＳＲＳの周波数ホッピング帯域幅に含まれるＳＲＳの伝送サブ帯域幅の数量Ｋに基づいて、Λ個のアンテナグループの中からシーケンス番号がａ（ｎSRS）であるアンテナグループを選択するステップは、ＫがΛの整数倍であるとき、次式：
【００１１】
【数１】
2021520132.tif 000003
【００１２】
に従って端末デバイスによってＳＲＳを送信するためのアンテナグループのシーケンス番号ａ（ｎSRS）を決定するステップを含み、ここで
【００１３】
【数２】
2021520132.tif 000004
【００１４】
は（ｎSRS/Ｋ）以下の最大の整数を表すために使用され、
【００１５】
【数３】
2021520132.tif 000005
【００１６】
は
【００１７】
【数４】
2021520132.tif 000006
【００１８】
をΛで除算することにより得られる余りを表すために使用される。
【００１９】
可能な実装において、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択するステップは、端末デバイスによって、ＳＲＳの伝送量のシーケンス番号ａ（ｎSRS）およびアンテナグループの数量Λに基づいて、Λ個のアンテナグループからシーケンス番号がａ（ｎSRS）であるアンテナグループを選択することにより、ｎSRS回目にＳＲＳを送信するためのアンテナグループのシーケンス番号ａ（ｎSRS）と、（ｎSRS＋Λ）回目にＳＲＳを送信するためのアンテナグループのシーケンス番号ａ（ｎSRS＋Λ）が異なるようにするステップを含む。
【００２０】
上記の技術的解決策において、限定された回数、例えばＫ回、ＳＲＳを送信する処理において、同じアンテナグループを介してＳＲＳを送信するために占有される２つの隣接するＳＲＳサブ帯域幅の間に比較的大きな周波数間隔が存在し得るため、ＳＲＳを送信するために同じアンテナグループの周波数ホッピング帯域幅から比較的離散的に分散されたＳＲＳサブ帯域幅が選択され、またより広い帯域幅範囲内のチャネルサウンディングを比較的少量のＳＲＳ伝送に対して実装でき、これによってチャネルサウンディングの効率および精度が向上する。
【００２１】
可能な実装において、端末デバイスによって、ＳＲＳの伝送量のシーケンス番号ｎSRSおよびアンテナグループの数量Λに基づいて、Λ個のアンテナグループの中からシーケンス番号がａ（ｎSRS）であるアンテナグループを選択するステップは、ＫがΛの整数倍であるとき、次式：
【００２２】
【数５】
2021520132.tif 000007
【００２３】
に従って端末デバイスによってＳＲＳを送信するためのアンテナグループのシーケンス番号ａ（ｎSRS）を決定するステップを含み、ここで
【００２４】
【数６】
2021520132.tif 000008
【００２５】
は（ｎSRS/Λ）以下の正の最大の整数を表すために使用され、
【００２６】
【数７】
2021520132.tif 000009
【００２７】
は
【００２８】
【数８】
2021520132.tif 000010
【００２９】
をΛで除算することにより得られる余りを表すために使用される。
【００３０】
可能な実装において、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択するステップは、端末デバイスによって、次式：
【００３１】
【数９】
2021520132.tif 000011
【００３２】
に従ってＳＲＳを送信するためのアンテナグループのシーケンス番号ａ（ｎSRS）を決定するステップを含み、ここで
【００３３】
【数１０】
2021520132.tif 000012
【００３４】
【数１１】
2021520132.tif 000013
【００３５】
【数１２】
2021520132.tif 000014
【００３６】
は
【００３７】
【数１３】
2021520132.tif 000015
【００３８】
をΛで除算して得られる余りを表すために使用される。
【００３９】
可能な実装において、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択するステップは、端末デバイスによって、次式：
【００４０】
【数１４】
2021520132.tif 000016
【００４１】
に従ってＳＲＳを送信するためのアンテナグループのシーケンス番号ａ（ｎSRS）を決定するステップを含み、ここで
【００４２】
【数１５】
2021520132.tif 000017
【００４３】
【数１６】
2021520132.tif 000018
【００４４】
である。
【００４５】
可能な実装において、端末デバイスによって、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択するステップは、端末デバイスによって、次式：ａ（ｎSRS）＝ｎSRS  ｍｏｄΛに従ってＳＲＳを送信するためのアンテナグループのシーケンス番号ａ（ｎSRS）を決定するステップを含み、ここでｎSRS  ｍｏｄΛはｎSRSをΛで除算して得られる余りを表すために使用される。
【００４６】
可能な実装において、Λ個のアンテナグループの各々は、少なくとも２つの異なるアンテナポートを含み、Λ個のアンテナグループは、端末デバイスのすべてのアンテナポートを含む。
【００４７】
第２の態様によれば、端末デバイスが提供される。端末デバイスは、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することにより、２Λ回のＳＲＳ伝送の処理において、Λ個のアンテナグループの各々を介してＳＲＳが少なくとも１回送信されるようにすることであって、ｎSRSは０以上の整数であり、Λは３以上の正の整数である、ことと、ｎSRS回目のＳＲＳ伝送中に、シーケンス番号がａ（ｎSRS）であるアンテナグループに含まれるアンテナポートを介してＳＲＳを送信することと、を含む。
【００４８】
可能な実施形態において、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することは、ＳＲＳの伝送量のシーケンス番号ｎSRS、アンテナグループの数量Λ、およびＳＲＳの周波数ホッピング帯域幅に含まれるＳＲＳの伝送サブ帯域幅の数量Ｋに基づいて、Λ個のアンテナグループの中からシーケンス番号がａ（ｎSRS）であるアンテナグループを選択することにより、（ｎSRS＋ｉＫ）回目にＳＲＳを送信するアンテナグループのシーケンス番号ａ（ｎSRS＋ｉＫ）と（ｎSRS＋（ｉ−１）Ｋ）回目にＳＲＳを送信するアンテナグループのシーケンス番号ａ（ｎSRS＋（ｉ−１）Ｋ）とが異なるように、および／または（ｎSRS＋ｉＫ）回目にＳＲＳを送信するアンテナグループのシーケンス番号ａ（ｎSRS＋ｉＫ）と（ｎSRS＋（ｉ＋１）Ｋ）回目にＳＲＳを送信するアンテナグループのシーケンス番号ａ（ｎSRS＋（ｉ＋１）Ｋ）とが異なるようにすることであって、１≦ｉ≦（Λ−２）であり、Ｋは０より大きい正の整数であることを含む。
【００４９】
可能な実装において、ＳＲＳの伝送量のシーケンス番号ｎSRS、アンテナグループの数量Λ、およびＳＲＳの周波数ホッピング帯域幅に含まれるＳＲＳの伝送サブ帯域幅の数量Ｋに基づいて、Λ個のアンテナグループの中からシーケンス番号がａ（ｎSRS）であるアンテナグループを選択することは、ＫがΛの整数倍であるとき、次式：
【００５０】
【数１７】
2021520132.tif 000019
【００５１】
に従ってＳＲＳを送信するためのアンテナグループのシーケンス番号ａ（ｎSRS）を決定することを含み、ここで
【００５２】
【数１８】
2021520132.tif 000020
【００５３】
は（ｎSRS/Ｋ）以下の最大の整数を表すために使用され、
【００５４】
【数１９】
2021520132.tif 000021
【００５５】
は
【００５６】
【数２０】
2021520132.tif 000022
【００５７】
をΛで除算することにより得られる余りを表すために使用される。
【００５８】
可能な実装において、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することは、ＳＲＳの伝送量のシーケンス番号ａ（ｎSRS）およびアンテナグループの数量Λに基づいて、Λ個のアンテナグループからシーケンス番号がａ（ｎSRS）であるアンテナグループを選択することにより、ｎSRS回目にＳＲＳを送信するためのアンテナグループのシーケンス番号ａ（ｎSRS）と、（ｎSRS＋Λ）回目にＳＲＳを送信するためのアンテナグループのシーケンス番号ａ（ｎSRS＋Λ）が異なるようにすることを含む。
【００５９】
可能な実装において、ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することは、ＫがΛの整数倍であるとき、次式：
【００６０】
【数２１】
2021520132.tif 000023
【００６１】
に従ってＳＲＳを送信するためのアンテナグループのシーケンス番号ａ（ｎSRS）を決定することを含み、ここで
【００６２】
【数２２】
2021520132.tif 000024
【００６３】
は（ｎSRS/Λ）以下の正の最大の整数を表すために使用され、
【００６４】
【数２３】
2021520132.tif 000025
【００６５】
は
【００６６】
【数２４】
2021520132.tif 000026
【００６７】
をΛで除算することにより得られる余りを表すために使用される。
【００６８】
可能な実装において、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することは、次式：
【００６９】
【数２５】
2021520132.tif 000027
【００７０】
に従ってＳＲＳを送信するためのアンテナグループのシーケンス番号ａ（ｎSRS）を決定することを含み、ここで
【００７１】
【数２６】
2021520132.tif 000028
【００７２】
【数２７】
2021520132.tif 000029
【００７３】
【数２８】
2021520132.tif 000030
【００７４】
は
【００７５】
【数２９】
2021520132.tif 000031
【００７６】
をΛで除算して得られる余りを表すために使用される。
【００７７】
可能な実装において、サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することは、次式：
【００７８】
【数３０】
2021520132.tif 000032
【００７９】
に従ってＳＲＳを送信するためのアンテナグループのシーケンス番号ａ（ｎSRS）を決定することを含み、ここで
【００８０】
【数３１】
2021520132.tif 000033
【００８１】
【数３２】
2021520132.tif 000034
【００８２】
である。
【００８３】
第３の態様によれば、端末デバイスが提供される。端末デバイスは、メモリ、プロセッサ、およびトランシーバを含み、メモリは、プログラムを格納するように構成され、プロセッサは、メモリに格納されたプログラムを実行するように構成され、プログラムが実行されると、プロセッサは、トランシーバを介して第１の態様または第１の態様の可能な実装のいずれか１つによる方法を実行する。
【００８４】
第４の態様によれば、チップが提供される。チップは、メモリ、プロセッサ、およびトランシーバを含み、メモリはプログラムを格納するように構成され、プロセッサは、メモリに格納されたプログラムを実行するように構成され、プログラムが実行されると、プロセッサは、トランシーバを介して第３の態様または第３の態様の可能な実装のいずれか１つによる方法を実行する。
【００８５】
第５の態様によれば、コンピュータ可読記憶媒体が提供される。コンピュータ可読記憶媒体は、コンピュータ命令を含み、コンピュータ命令が端末デバイス上で実行されるとき、端末デバイスは、第１の態様または第１の態様の可能な実装のいずれか１つによる方法を実行することができる。
【００８６】
第６の態様によれば、コンピュータプログラム製品が提供される。コンピュータプログラム製品が端末デバイス上で実行されるとき、端末デバイスは、第１の態様のいずれか１つまたは第１の態様の可能な実装による方法を実行することができる。
【図面の簡単な説明】
【００８７】
【図１】本出願の一実施形態による、サウンディング基準信号伝送方法の概略フローチャートである。
【図２】本出願の別の実施形態による、サウンディング基準信号伝送方法の概略構造図である。
【図３】本出願の別の実施形態による、サウンディング基準信号伝送方法の概略構造図である。
【図４】本出願の別の実施形態による、サウンディング基準信号伝送方法の概略構造図である。
【図５】本出願の別の実施形態による、サウンディング基準信号伝送方法の概略構造図である。
【図６】本出願の別の実施形態による、サウンディング基準信号伝送方法の概略構造図である。
【図７】本出願の実施形態による端末デバイスの概略構造図である。
【発明を実施するための形態】
【００８８】
以下に、添付の図面を参照して、本出願の技術的解決策について説明する。
【００８９】
本出願の実施形態における技術的解決策は、種々の通信システム、例えば、セルラーベースの狭帯域モノのインターネット（ｎａｒｒｏｗ  ｂａｎｄ  ｉｎｔｅｒｎｅｔ  ｏｆ  ｔｈｉｎｇｓ、ＮＢ−ＩｏＴ）システム、移動通信のためのグローバルシステム（ｇｌｏｂａｌ  ｓｙｓｔｅｍ  ｏｆ  ｍｏｂｉｌｅ  ｃｏｍｍｕｎｉｃａｔｉｏｎ、ＧＳＭ）システム、符号分割多重アクセス（ｃｏｄｅ  ｄｉｖｉｓｉｏｎ  ｍｕｌｔｉｐｌｅ  ａｃｃｅｓｓ、ＣＤＭＡ）システム、広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システム、一般パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、ワールドワイド・インターオペラビリティ・フォー・マイクロウェーブ・アクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、および将来の第５世代（５ｔｈ  ｇｅｎｅｒａｔｉｏｎ、５Ｇ）システムまたは新無線（ｎｅｗ  ｒａｄｉｏ、ＮＲ）システムに適用され得る。
【００９０】
本出願の実施形態において、端末デバイスのタイプは特に限定されず、端末デバイスは、ネットワークデバイスと通信するように構成された任意のデバイスであり得る。端末デバイスは、例えば、ユーザ機器、アクセス端末、端末デバイス、加入者ユニット、加入者局、移動局、移動局、リモート局、リモート端末、移動デバイス、ユーザ端末、ワイヤレスネットワークデバイス、ユーザエージェント、またはユーザ装置であり得る。端末には、リレーノード（ｒｅｌａｙ  ｎｏｄｅ）、モバイルステーション（ｍｏｂｉｌｅ  ｓｔａｔｉｏｎ、ＭＳ）、移動電話（ｍｏｂｉｌｅ  ｔｅｌｅｐｈｏｎｅ）、ユーザ機器（ｕｓｅｒ  ｅｑｕｉｐｍｅｎｔ、ＵＥ）、ハンドセット（ｈａｎｄｓｅｔ）、携帯機器（ｐｏｒｔａｂｌｅ  ｅｑｕｉｐｍｅｎｔ）、セルラーフォン、コードレス電話、セッション開始プロトコル（ｓｅｓｓｉｏｎ  ｉｎｉｔｉａｔｉｏｎ  ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）ステーション、携帯情報端末（ｐｅｒｓｏｎａｌ  ｄｉｇｉｔａｌ  ａｓｓｉｓｔａｎｔ、ＰＤＡ）、ロジスティクスに使用される無線周波数認識装置（ｒａｄｉｏ  ｆｒｅｑｕｅｎｃｙ  ｉｄｅｎｔｉｆｉｃａｔｉｏｎ、ＲＦＩＤ）端末デバイス、ワイヤレス通信機能を備えたハンドヘルドデバイス、コンピューティングデバイス、ワイヤレスモデムに接続された別のデバイス、車載デバイス、ウェアラブルデバイス、モノのインターネットまたは車両のインターネットの端末デバイス、将来の５Ｇネットワークの端末デバイス、将来の進化型公衆携帯電話網（ｐｕｂｌｉｃ  ｌａｎｄ  ｍｏｂｉｌｅ  ｎｅｔｗｏｒｋ、ＰＬＭＮ）の端末デバイスなどが含まれ得るが、これらに限定されない。
【００９１】
限定ではなく例として、本発明の実施形態において、端末デバイスは、代替としてウェアラブルデバイスであり得る。ウェアラブルデバイスは、ウェアラブルインテリジェントデバイスと呼ばれることもあり、日常の着用物のインテリジェントデザインにウェアラブル技術を適用して開発された、メガネ、手袋、時計、衣服、靴などのウェアラブルデバイスの一般的な用語である。ウェアラブルデバイスは、身体に直接装着したり、ユーザの衣服やアクセサリーに組み込んだりできるポータブルデバイスである。ウェアラブルデバイスはハードウェアデバイスであるだけでなく、ソフトウェアサポート、データ交換、およびクラウドの相互作用を通じて強力な機能を実装する。一般化されたウェアラブルインテリジェントデバイスは、例えば、スマートウォッチまたはスマートグラスなどの、スマートフォンに依存せずに完全なまたは部分的な機能を実装できるフル機能の大型デバイスや、１つのタイプのアプリケーション機能のみに焦点を当てて、スマートフォンなどの他のデバイス、例えば、物理的なサインを監視するための種々のスマートバンドまたはスマートジュエリーと動作する必要があるデバイスを含む。
【００９２】
ネットワークデバイスのタイプは、本出願の実施形態において特に限定されない。ネットワークデバイスは、端末デバイスと通信するように構成された任意のデバイスであり得る。例えば、ネットワークデバイスは、移動体通信のためのグローバルシステム（ｇｌｏｂａｌ  ｓｙｓｔｅｍ  ｏｆ  ｍｏｂｉｌｅ  ｃｏｍｍｕｎｉｃａｔｉｏｎ、ＧＳＭ）または符号分割多重アクセス（ｃｏｄｅ  ｄｉｖｉｓｉｏｎ  ｍｕｌｔｉｐｌｅ  ａｃｃｅｓｓ、ＣＤＭＡ）におけるベーストランシーバステーション（ｂａｓｅ  ｔｒａｎｓｃｅｉｖｅｒ  ｓｔａｔｉｏｎ、ＢＴＳ）、広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システムにおけるＮｏｄｅＢ（ＮｏｄｅＢ、ＮＢ）、ロングタームエボリューション（ｌｏｎｇ  ｔｅｒｍ  ｅｖｏｌｕｔｉｏｎ、ＬＴＥ）システムにおける進化型ＮｏｄｅＢ（ｅｖｏｌｕｔｉｏｎａｌ  ＮｏｄｅＢ，  ｅＮＢまたはｅＮｏｄｅＢ）、またはクラウド無線アクセスネットワーク（ｃｌｏｕｄ  ｒａｄｉｏ  ａｃｃｅｓｓ  ｎｅｔｗｏｒｋ、ＣＲＡＮ）のシナリオにおける無線コントローラであり得る。あるいは、ネットワークデバイスは、例えば、中継局、アクセスポイント、車載デバイス、ウェアラブルデバイス、将来の５Ｇネットワークにおけるネットワークデバイス、または将来の進化型ＰＬＭＮにおけるネットワークデバイスであり得る。
【００９３】
上記の２Ｔ４Ｒをサポートする端末デバイスは、端末デバイスが２つの送信アンテナ（２つの送信リンク）および４つの受信アンテナをサポートできることを意味する。同時に、４つの受信アンテナに対応する完全なチャネル情報を取得するために、端末デバイスは、アンテナ選択式によって示されるアンテナポートに基づいて、４つの受信アンテナから２つのアンテナを同時に選択し得、選択した２つのアンテナポート上でＳＲＳを送信し得る。
【００９４】
種々のアプリケーションシナリオおよび端末デバイスのアンテナポートの構築実装に基づいて、４つのアンテナポート（例えば、アンテナポート０、アンテナポート１、アンテナポート２、およびアンテナポート３）から２つのアンテナポートを選択する多くの実装がある。一例では、端末デバイスが４つのアンテナポートをペアで柔軟にグループ化できる場合、アンテナスイッチを切り替えることによって４つのアンテナポートを２つのアンテナグループにグループ化し得る。例えば、端末デバイスは、４つのアンテナポートを２つのアンテナグループにグループ化し得る。一方のアンテナグループに含まれるアンテナポートは（アンテナポート０およびアンテナポート１）であり得、他方のアンテナグループに含まれるアンテナポートは（アンテナポート２およびアンテナポート３）であり得る。端末デバイスは、ＳＲＳを送信するために２つのアンテナグループの１つに含まれるアンテナポートをランダムに選択する場合がある。別の例では、端末デバイスの１つの送信リンクが常に１つのアンテナポートに接続されている場合、アンテナスイッチを切り替えることによって、残りの３つのアンテナポートのうちの１つを他の送信リンク用に選択し得る。例えば、端末デバイスは、４つのアンテナポートを３つのアンテナグループにグループ化し得る。あるアンテナグループに含まれるアンテナポートは（アンテナポート０およびアンテナポート１）であり得、別のアンテナグループに含まれるアンテナポートは（アンテナポート０およびアンテナポート２）であり得、さらに別のアンテナに含まれるアンテナポートはグループは（アンテナポート０およびアンテナポート３）であり得る。端末デバイスは、ＳＲＳを送信するために、３つのアンテナグループのうちの１つに含まれるアンテナポートをランダムに選択し得る。
【００９５】
既存のＬＴＥプロトコルは２つのアンテナグループのアンテナ選択をサポートできるが、３つのアンテナグループのアンテナ選択には適用できない（すなわち、既存のＬＴＥシステムでは、３つのアンテナグループから１つのアンテナグループをランダムに選択してＳＲＳを送信することはできない）。
【００９６】
本出願の実施形態は、３つのアンテナグループのためのアンテナ選択を実装するために、サウンディング基準信号伝送方法を提供する。以下では、図１を参照して、本出願の実施形態を詳細に説明する。
【００９７】
図１は、本出願の実施形態による、サウンディング基準信号伝送方法の概略フローチャートである。図１の方法は、ステップ１１０および１２０を含み得る。以下では、ステップ１１０と１２０について個別に詳細に説明する。
【００９８】
ステップ１１０。端末デバイスは、サウンディング基準信号ＳＲＳの伝送量のシーケンス番号ｎSRSおよびアンテナグループの数量Λに基づいて、Λ個のアンテナグループからシーケンス番号がａ（ｎSRS）であるアンテナグループを選択する。
【００９９】
本出願のこの実施形態において、端末デバイスはアンテナ選択をサポートすることができる。端末デバイスがアンテナ選択を可能にするとき、端末デバイスは、Λ個のアンテナグループからシーケンス番号がａ（ｎSRS）であるアンテナグループを選択し得、シーケンス番号がａ（ｎSRS）であるアンテナグループでＳＲＳを送信し得るが、ここでａ（ｎSRS）は０以上の正の整数であり得る。
【０１００】
端末デバイスは、Λ個のアンテナグループから、ＳＲＳを送信するための１つのアンテナグループを選択してよく、その結果、ＳＲＳを２Λ回送信する処理において、ＳＲＳは、Λ個のアンテナグループの各々を介して少なくとも１回送信される。例えば、Λが３である場合、端末デバイスは、３つのアンテナグループからアンテナグループ０を選択してＳＲＳを送信し得るか、３つのアンテナグループからアンテナグループ１を選択してＳＲＳを送信し得るか、または３つのアンテナグループからアンテナグループ２を選択してＳＲＳを送信し得る。
【０１０１】
本出願のこの実施形態において、アンテナグループの数量Λは特に限定されず、３以上の任意の正の整数であり得る。Λ個のアンテナグループの各々は、少なくとも２つの異なるアンテナポートを含み得、Λ個のアンテナグループに含まれるアンテナポートの合計セットはすべてのアンテナポートを含み得る。
【０１０２】
本出願のこの実施形態において、アンテナグループの各々に含まれる少なくとも２つのアンテナポートの割り当て方法は特に限定されない。一例では、端末デバイスのすべてのアンテナポートは、アンテナポート０、アンテナポート１、アンテナポート２、およびアンテナポート３であり得、Λ個のアンテナグループの各々は、少なくとも２つの異なるアンテナポートを含み得る。例えば、アンテナグループ０（Ａｎｔｅｎｎａ  ｇｒｏｕｐ  ０）は、アンテナポート０およびアンテナポート１を含み得、アンテナグループ１（Ａｎｔｅｎｎａ  ｇｒｏｕｐ  １）は、アンテナポート０およびアンテナポート２を含み得、アンテナグループ２（Ａｎｔｅｎｎａ  ｇｒｏｕｐ  ２）は、アンテナポート０およびアンテナポート３を含み得る。
【０１０３】
ＳＲＳをＫ回送信する各処理において、ＳＲＳは、等しい蓋然性でΛ個のアンテナグループを介して送信され得、Λ個のアンテナグループを介してＳＲＳを送信する回数の数量の差は１を超えない場合があり、ここでＫはＳＲＳの周波数ホッピング帯域幅に含まれるＳＲＳ伝送サブ帯域幅の数量を表すために使用され得、Ｋは０より大きい正の整数であり得る。
【０１０４】
ＳＲＳを送信するためのアンテナグループは、周波数ホッピング方式であり得、ＳＲＳの伝送量のシーケンス番号ｎSRSは、ＳＲＳを送信する回数のシーケンス番号を表すために使用してよい。例えば、ＳＲＳの周波数ホッピング帯域幅全体の測定を最初に完了する処理において、ｎSRS＝０はＳＲＳが最初に送信されることを示すために使用してよく、ｎSRS＝１はＳＲＳが２回目に送信されることを示すために使用してよい。
【０１０５】
ステップ１１０は、多くの方法で実施され得る。これは、本出願のこの実施形態において特に限定されない。例として、シーケンス番号がａ（ｎSRS）であるアンテナグループは、ＳＲＳの伝送量のシーケンス番号ｎSRSおよびアンテナグループの数量Λに基づいて、Λ個のアンテナグループから選択され得る。別の例において、シーケンス番号がａ（ｎSRS）であるアンテナグループは、ＳＲＳの伝送量のシーケンス番号ｎSRS、アンテナグループの数量Λ、およびＳＲＳの周波数ホッピング帯域幅に含まれるＳＲＳ伝送サブ帯域幅の数量Ｋに基づいて選択され得る。以下では、図２から図６を参照して２つの実装を詳細に説明する。詳細は本明細書では説明しない。
【０１０６】
ステップ１２０。ｎSRS回目のＳＲＳ伝送の間、端末デバイスは、シーケンス番号がａ（ｎSRS）であるアンテナグループに含まれるアンテナポートを介してＳＲＳを送信する。
【０１０７】
本出願のこの実施形態において、端末デバイスは、ＳＲＳの伝送量のシーケンス番号ｎSRS、およびアンテナグループの数量Λに基づいて、Λ個のアンテナグループからＳＲＳを送信するためのアンテナグループを選択してよく、その結果、端末デバイスが３つのアンテナグループのアンテナ選択をサポートできる。
【０１０８】
任意選択で、いくつかの実施形態において、端末デバイスは、以下のアンテナ選択式
に従って、ＳＲＳを送信するためにΛ個のアンテナグループから１つのアンテナグループを選択してよい。
【０１０９】
ａ（ｎSRS）＝ｎSRS  ｍｏｄΛ      （１）
【０１１０】
ここでａ（ｎSRS）はＳＲＳを送信するためのアンテナグループのシーケンス番号を表すために使用してよく、
ｎSRS  ｍｏｄΛは、ＳＲＳの伝送量のシーケンス番号ｎSRSをアンテナグループの数量Λで除算して得られる余りを表すために使用してよい。
【０１１１】
ある時点において、端末デバイスは、式（１）に従って３つのアンテナグループからＳＲＳを送信するための１つのアンテナグループのシーケンス番号を選択してよく、シーケンス番号がａ（ｎSRS）であるアンテナグループに含まれるアンテナポート上でＳＲＳを送信してよいことを理解されたい。
【０１１２】
特定の例に関し、以下ではアンテナ選択式（１）に従って、Λ個のアンテナグループから、本出願のこの実施形態においてＳＲＳを送信するために１つのアンテナグループのシーケンス番号を選択する特定の実装をより詳細に説明する。以下の例は、本出願の実施形態をその例の特定の値または特定のシナリオに限定するのではなく、当業者が本出願の実施形態を理解するのを助けることを意図しているにすぎないことに留意されたい。当業者が上記の例に基づいて種々の等価な修正または変更を行うことができることは明らかであり、そのような修正および変更もまた、本出願の実施形態の範囲内にある。
【０１１３】
図２は、本出願の別の実施形態による、サウンディング基準信号伝送方法の概略構造図である。図２に示すように、アンテナグループの数量Λは３であり、ＳＲＳの周波数ホッピング帯域幅に含まれるＳＲＳ伝送サブ帯域幅の数量Ｋは１０である例を使用することにより説明が与えられる。
【０１１４】
Ｋが１０の場合、端末デバイスは、周波数ホッピングを１０回完了することにより、ＳＲＳの周波数ホッピング帯域幅全体を１回測定し得ることを意味する。
【０１１５】
アンテナグループの数量Λが３であるとき、これは４つのアンテナポートを３つのアンテナグループにグループ化し得ることを意味する。例えば、３つのアンテナグループは、アンテナグループ０（Ａｎｔｅｎｎａ  ｇｒｏｕｐ  ０）、アンテナグループ１（Ａｎｔｅｎｎａ  ｇｒｏｕｐ  １）、およびアンテナグループ２（Ａｎｔｅｎｎａ  ｇｒｏｕｐ  ２）を含み得る。同時に、端末デバイスは、アンテナ選択式（１）に従って、アンテナグループ０、アンテナグループ１、およびアンテナグループ２から１つのアンテナグループを選択して、ＳＲＳを送信し得る。
【０１１６】
図２を参照すると、ＳＲＳを最初のＫ回送信する処理において、端末デバイスは、アンテナ選択式（１）に従って、３つのアンテナグループから、ＳＲＳを送信するためのアンテナグループを選択し得る。ＳＲＳを１回目に送信する処理において（すなわち、ｎSRS＝０）、端末デバイスは、ＳＲＳサブ帯域幅１（サブバンド１またはバンド１と呼ばれることもある）でアンテナグループ０（Ａｎｔｅｎｎａ  ｇｒｏｕｐ  ０）に含まれるアンテナポートを介して、ＳＲＳを送信することを選択し得る。ＳＲＳを２回目に送信する処理において（すなわち、ｎSRS＝１）、端末デバイスは、ＳＲＳサブ帯域幅６（サブバンド６またはバンド６と呼ばれることもある）でアンテナグループ１（Ａｎｔｅｎｎａ  ｇｒｏｕｐ  １）に含まれるアンテナポートを介して、ＳＲＳを送信することを選択し得る。ＳＲＳを３回目に送信する処理において（すなわち、ｎSRS＝２）、端末デバイスは、ＳＲＳサブ帯域幅３（サブバンド３またはバンド３とも呼ばれることもある）でアンテナグループ２（Ａｎｔｅｎｎａ  ｇｒｏｕｐ  ２）に含まれるアンテナポートを介して、ＳＲＳを送信することを選択し得る。残りは類推によって推測され得る。ＳＲＳをΛＫ回送信する処理において、ＳＲＳリソースは、Λ個のアンテナグループを介して、アンテナグループのシーケンス番号の昇順で順次送信され得る。
【０１１７】
任意選択で、いくつかの実施形態において、アンテナグループの数量Λが２であるとき、４つのアンテナポートを、例えば、アンテナグループ０（Ａｎｔｅｎｎａ  ｇｒｏｕｐ  ０）およびアンテナグループ１（Ａｎｔｅｎｎａ  ｇｒｏｕｐ  １）を含む２つのアンテナグループにグループ化し得ることを意味する。同時に、端末デバイスは、アンテナ選択式（１）に従って、アンテナグループ０（Ａｎｔｅｎｎａ  ｇｒｏｕｐ  ０）およびアンテナグループ１（Ａｎｔｅｎｎａ  ｇｒｏｕｐ  １）のいずれかを択一的に選択して、ＳＲＳを送信し得る。
【０１１８】
周波数ホッピング処理では、ＳＲＳの周波数ホッピング帯域幅に含まれるＳＲＳ伝送サブ帯域幅の選択順序、ＳＲＳの合計周波数ホッピング帯域幅、およびＳＲＳの周波数ホッピング帯域幅に含まれるＳＲＳ伝送サブ帯域幅の数量は、本出願のこの実施形態において特に限定されず、ＳＲＳ構成パラメータに基づいて設定され得ることに留意されたい。
【０１１９】
任意選択で、いくつかの実施形態において、端末デバイスは、ＳＲＳの伝送量のシーケンス番号ｎSRSおよびアンテナグループの数量Λに基づいて、シーケンス番号がａ（ｎSRS）であるアンテナグループを選択してよく、その結果、ｎSRS回目にＳＲＳを送信するためのアンテナグループのシーケンス番号ａ（ｎSRS）と、（ｎSRS＋Λ）回目にＳＲＳを送信するためのアンテナグループのシーケンス番号ａ（ｎSRS＋Λ）が異なるようにし得る。
【０１２０】
いくつかの実施形態において、端末デバイスは、ＳＲＳの伝送量のシーケンス番号ｎSRSおよびアンテナグループの数量Λに基づいて、シーケンス番号がａ（ｎSRS）であるアンテナグループを選択することにより、ＳＲＳをＫ回目に送信する各処理において、ＳＲＳをｎSRS回目に送信するために選択されたアンテナグループのシーケンス番号からＳＲＳを（ｎSRS＋Λ）回目に送信するために選択されたアンテナグループのシーケンス番号までを含むシーケンスは、ＳＲＳを（ｎSRS＋Λ）回目に送信するために選択されたアンテナグループのシーケンス番号からＳＲＳを（ｎSRS＋２Λ）回目に送信するために選択されたアンテナグループのシーケンス番号までを含むシーケンスに循環シフトを実行することによって得られた結果であり得ることを理解されたい。例えば、ＳＲＳを１回目（ｎSRS＝０）から３回目（ｎSRS＝２）まで送信するために選択されたアンテナグループのシーケンス番号は、それぞれアンテナグループ０、アンテナグループ１、およびアンテナグループ２であり得る。ＳＲＳを４回目（ｎSRS＝３）から６回目まで（ｎSRS＝５）送信するために選択されたアンテナグループのシーケンス番号は、それぞれアンテナグループ１、アンテナグループ２、およびアンテナグループ０であり得る。類推により、端末デバイスによって選択されたアンテナグループのシーケンス番号を含むシーケンスは、循環シフト機能を有し得る。
【０１２１】
上記の循環シフトにより得られた結果は、本出願のこの実施形態において特に限定されない。一例では、ＳＲＳをｎSRS回目に送信するために選択されたアンテナグループのシーケンス番号からＳＲＳを（ｎSRS＋Λ）回目に送信するために選択されたアンテナグループのシーケンス番号までを含むシーケンスは、ＳＲＳを（ｎSRS＋Λ）回目に送信するために選択されたアンテナグループのシーケンス番号からＳＲＳを（ｎSRS＋２Λ）回目に送信するために選択されたアンテナグループのシーケンス番号までを含むシーケンスに順方向循環シフトを実行することによって得られた結果であり得る。別の例では、ＳＲＳをｎSRS回目に送信するために選択されたアンテナグループのシーケンス番号からＳＲＳを（ｎSRS＋Λ）回目に送信するために選択されたアンテナグループのシーケンス番号までを含むシーケンスは、ＳＲＳを（ｎSRS＋Λ）回目に送信するために選択されたアンテナグループのシーケンス番号からＳＲＳを（ｎSRS＋２Λ）回目に送信するために選択されたアンテナグループのシーケンス番号まで含むシーケンスに対して逆方向循環シフトを実行することによって得られた結果であり得る。
【０１２２】
本出願のこの実施形態において、限定された回数、例えば、Ｋ回、ＳＲＳを送信する処理において、同じアンテナグループを介してＳＲＳを送信するために占有される２つの隣接するＳＲＳサブ帯域幅の間に比較的大きな周波数間隔が存在する可能性があり、その結果、ＳＲＳを送信するために同じアンテナグループの周波数ホッピング帯域幅から比較的離散的に分散されたＳＲＳサブ帯域幅が選択され、より広い帯域幅範囲内のチャネルサウンディングを比較的少量のＳＲＳ伝送に実装でき、これによってチャネルサウンディングの効率および精度が向上する。
【０１２３】
任意選択で、いくつかの実施形態において、端末デバイスは、ＳＲＳを送信するために次のアンテナ選択式に従ってΛ個のアンテナグループから１つのアンテナグループを選択し、その結果、ＳＲＳをｎSRS回目に送信するためのアンテナグループのシーケンス番号ａ（ｎSRS）が、ＳＲＳを（ｎSRS＋Λ）回目に送信するためのアンテナグループのシーケンス番号ａ（ｎSRS＋Λ）と異なるようにし得る。
【０１２４】
【数３３】
2021520132.tif 000035
【０１２５】
ここで、ａ（ｎSRS）はＳＲＳを送信するためのアンテナグループのシーケンス番号を表すために使用してよく、
【０１２６】
【数３４】
2021520132.tif 000036
【０１２７】
は（ｎSRS/Λ）以下の最大の正の整数を表すために使用してよく、
【０１２８】
【数３５】
2021520132.tif 000037
【０１２９】
は
【０１３０】
【数３６】
2021520132.tif 000038
【０１３１】
をアンテナグループの数量Λで除算して得られる余りを表すために使用してよい。
【０１３２】
ＳＲＳの周波数ホッピング帯域幅に含まれるＳＲＳ伝送サブ帯域幅の数量Ｋの値は、本出願のこの実施形態において特に限定されない。例では、数量Ｋがアンテナグループの数量Λの整数倍であるとき、端末デバイスは、ＳＲＳを送信するためにアンテナ選択式（２）に従ってΛ個のアンテナグループから１つのアンテナグループを選択し得る。
【０１３３】
特定の例に関し、以下では特定の実装をより詳細に説明するが、ここでは、ＳＲＳを送信するための１つのアンテナグループのシーケンス番号が、アンテナ選択式（２）に従ってΛ個のアンテナグループから選択され、その結果、本出願のこの実施形態において、ＳＲＳをｎSRS回目に送信するためのアンテナグループのシーケンス番号ａ（ｎSRS）が、ＳＲＳを（ｎSRS＋Λ）回目に送信するためのアンテナグループのシーケンス番号ａ（ｎSRS＋Λ）と異なるようにし得る。以下の例は、本出願の実施形態を実施例の特定の値または特定のシナリオに限定するのではなく、当業者が本出願の実施形態を理解するのを助けることを単に意図していることに留意されたい。当業者が上記の例に基づいて種々の等価な修正または変更を行うことができることは明らかであり、そのような修正および変更もまた、本出願の実施形態の範囲内にある。
【０１３４】
図３は、本出願の別の実施形態による、サウンディング基準信号伝送方法の概略構造図である。図３に示されるように、ＳＲＳの周波数ホッピング帯域幅に含まれるＳＲＳ伝送サブ帯域幅の数量Ｋがアンテナグループの数量Λの整数倍であるとき、アンテナグループの数量Λが３でありかつＫが１２であるとき、ただちに、端末デバイスは、アンテナ選択式（２）に従って、アンテナグループ０、アンテナグループ１、アンテナグループ２から１つのアンテナグループを選択してＳＲＳを送信し得る。
【０１３５】
図３を参照すると、ＳＲＳを最初のＫ回送信する処理において、端末デバイスは、アンテナ選択式（２）に従って３つのアンテナグループから、ＳＲＳを送信するためのアンテナグループを選択し得る。ＳＲＳを１回目（ｎSRS＝０）から３回目まで（ｎSRS＝２）送信する処理において、ＳＲＳを送信するために選択されたアンテナグループのシーケンス番号は順に、アンテナグループ０、アンテナグループ１、およびアンテナグループ２である。ＳＲＳを４回目（ｎSRS＝３）から６回目まで（ｎSRS＝５）送信する処理において、ＳＲＳを送信するために選択されたアンテナグループのシーケンス番号は順に、アンテナグループ１、アンテナグループ２、およびアンテナグループ０である。ＳＲＳを７回目（ｎSRS＝６）から９回目まで（ｎSRS＝８）送信する処理において、ＳＲＳを送信するために選択されたアンテナグループのシーケンス番号は順に、アンテナグループ２、アンテナグループ０、およびアンテナグループ１である。
【０１３６】
任意選択で、いくつかの実施形態において、アンテナグループの数量Λが２であるとき、これは、４つのアンテナポートを、例えば、アンテナグループ０およびアンテナグループ１を含む２つのアンテナグループにグループ化し得ることを意味する。同時に、端末デバイスは、ＳＲＳを送信するためにアンテナ選択式（２）に従ってアンテナグループ０およびアンテナグループ１のどちらかを択一的に選択することにより、ＳＲＳをｎSRS回目に送信するためのアンテナグループのシーケンス番号ａ（ｎSRS）が、ＳＲＳを（ｎSRS＋Λ）回目に送信するためのアンテナグループのシーケンス番号ａ（ｎSRS＋Λ）と異なるようにし得る。
【０１３７】
図３に示すように、ＳＲＳをＫΛ回送信する処理において、限られた回数、例えばＫ回、ＳＲＳを送信する処理において、同じアンテナグループ（例えば、アンテナグループ１）を介してＳＲＳを送信するために占有される２つの隣接するＳＲＳサブ帯域幅間の比較的大きな周波数間隔がある可能性がある。このようにして、ＳＲＳを送信するために、同じアンテナグループの周波数ホッピング帯域幅から比較的離散的に分散されたＳＲＳサブ帯域幅が選択され、その結果、比較的少量のＳＲＳ伝送に対してより広い帯域幅範囲内のチャネルサウンディングを実装でき、これによってチャネルサウンディングの効率および精度が向上する。
【０１３８】
図２および図３は、ＳＲＳを送信するためのアンテナグループのシーケンス番号が、ＳＲＳの伝送量ｎSRSのシーケンス番号およびアンテナグループの数量Λに基づいて選択されることを示している。任意選択で、いくつかの実施形態において、端末デバイスは、ＳＲＳの伝送量ｎSRSのシーケンス番号、アンテナグループの数量Λ、およびＳＲＳの周波数ホッピング帯域幅に含まれるＳＲＳ伝送サブ帯域幅の数量Ｋに基づいて、ＳＲＳを送信するためのアンテナグループを択一的に選択してよい。以下、実装について詳しく説明する。
【０１３９】
本出願のこの実施形態において、端末デバイスは、ＳＲＳの伝送量のシーケンス番号ｎSRS、アンテナグループの数量Λ、およびＳＲＳの周波数ホッピング帯域幅に含まれるＳＲＳ伝送サブ帯域幅の数量Ｋに基づいて、ＳＲＳを送信するためのアンテナグループを選択してよく、その結果、ＳＲＳの周波数ホッピング帯域幅の測定を完了する処理において（すなわち、ＳＲＳをΛＫ回送信する処理において）、ＳＲＳは、ＳＲＳの周波数ホッピング帯域幅に含まれる任意のＳＲＳ伝送サブ帯域幅において、Λ個のアンテナグループの各々を介して１回送信することができる。一例では、端末デバイスは、ＳＲＳの伝送量のシーケンス番号ｎSRS、アンテナグループの数量Λ、およびＳＲＳの周波数ホッピング帯域幅に含まれるＳＲＳ伝送サブ帯域幅の数量Ｋに基づいて、ＳＲＳを送信するためのアンテナグループを選択してよく、その結果、ΛＫ回の伝送の処理において、ＳＲＳを（ｎSRS＋ｉＫ）回目に送信するためのアンテナグループのシーケンス番号ａ（ｎSRS＋ｉＫ）は、ＳＲＳを（ｎSRS＋（ｉ−１）Ｋ）回目に送信するためのアンテナグループのシーケンス番号ａ（ｎSRS＋（ｉ−１）Ｋ）と異なる、および／またはＳＲＳを（ｎSRS＋ｉＫ）回目に送信するためのアンテナグループのシーケンス番号ａ（ｎSRS＋ｉＫ）は、ＳＲＳを（ｎSRS＋（ｉ＋１）Ｋ）回目に送信するためのアンテナグループのシーケンス番号ａ（ｎSRS＋（ｉ＋１）Ｋ）と異なるようにしてよく、ここでｉは０以上（Λ−２）以下の整数であり得る。
【０１４０】
端末デバイスは、ｎSRS、Λ、およびＫに基づいて、ＳＲＳを送信するためのアンテナグループを選択してよく、その結果、ＳＲＳをΛＫ回送信する処理において、ＳＲＳを最初のＫ回送信するために選択されたアンテナグループのシーケンス番号を含むシーケンスは、ＳＲＳをＫ回送信する次の処理において選択されたアンテナグループのシーケンス番号を含むシーケンスに循環シフトを実行することによって得られた結果であり得ることを理解されたい。例えば、ＳＲＳを１回目（ｎSRS＝０）からＫ回目（ｎSRS＝Ｋ−１）に送信するために選択されたアンテナグループのシーケンス番号は０、１、２、０、１、２、などであり、ＳＲＳを（Ｋ＋１）回目（ｎSRS＝Ｋ）から２Ｋ回目（ｎSRS＝２Ｋ−１）に送信する処理において選択されたアンテナグループのシーケンス番号は、１、２、０、１、２、０、などであり、ＳＲＳを（２Ｋ＋１）回目（ｎSRS＝２Ｋ）から３Ｋ回目（ｎSRS＝３Ｋ−１）に送信する処理において選択されたアンテナグループのシーケンス番号は、２、０、１、２、０、１、などである。
【０１４１】
本出願のこの実施形態において、ＳＲＳをΛＫ回送信する処理において、ＳＲＳは、ＳＲＳの周波数ホッピング帯域幅に含まれるＫ個のＳＲＳ伝送サブ帯域幅において、Λ個のアンテナグループの各々を介して１回送信でき、その結果、Λ個のアンテナグループの各々がＫ個のサブ帯域幅においてトラバースされ、すべてのアンテナポートに対応するＫ個のサブ帯域幅の完全なチャネル情報を取得することができる。
【０１４２】
任意選択で、いくつかの実施形態において、端末デバイスは、ＳＲＳを送信するために次のアンテナ選択式に従ってΛ個のアンテナグループから１つのアンテナグループを選択してよく、その結果、ＳＲＳの周波数ホッピング帯域幅のスキャンを完了する処理において（すなわち、ＳＲＳをΛＫ回送信する処理において）、ＳＲＳは、ＳＲＳの周波数ホッピング帯域幅に含まれる任意のＳＲＳ伝送サブ帯域幅において、Λ個のアンテナグループの各々を介して１回送信することができる。
【０１４３】
【数３７】
2021520132.tif 000039
【０１４４】
ここで、
【０１４５】
【数３８】
2021520132.tif 000040
【０１４６】
は（ｎSRS/Ｋ）以下の最大の正の整数を表すために使用してよく、
【０１４７】
【数３９】
2021520132.tif 000041
【０１４８】
は
【０１４９】
【数４０】
2021520132.tif 000042
【０１５０】
をアンテナグループの数量Λで除算して得られる余りを表すために使用してよい。
【０１５１】
ＳＲＳの周波数ホッピング帯域幅に含まれるＳＲＳ伝送サブ帯域幅の数量Ｋの値は、本出願のこの実施形態において特に限定されない。一例では、数量Ｋは、０より大きい任意の正の整数であり得る。別の例では、数量Ｋは、アンテナグループの数量Λの整数倍であり得る。例えば、Ｋがアンテナグループの数量Λの整数倍であるとき、端末デバイスは、ＳＲＳを送信するためのアンテナ選択式（３）に従ってΛ個のアンテナグループから１つのアンテナグループを選択し得る。
【０１５２】
ＳＲＳをΛＫ回送信する処理において、端末デバイスは、ＳＲＳを送信するためにアンテナ選択式（３）に従ってΛ個のアンテナグループから１つのアンテナグループを選択してよく、その結果、ＳＲＳの周波数ホッピング帯域幅の測定を完了する処理において（すなわち、ＳＲＳをΛＫ回送信する処理において）、ＳＲＳは、ＳＲＳの周波数ホッピング帯域幅に含まれる任意のＳＲＳ伝送サブ帯域幅において、Λ個のアンテナグループの各々を介して１回送信することができる。
【０１５３】
特定の例に関し、以下では、ＳＲＳを送信するための１つのアンテナグループのシーケンス番号が、アンテナ選択式（３）に従ってΛ個のアンテナグループから選択してよく、その結果、ＳＲＳの周波数ホッピング帯域幅のスキャンを完了する処理において（すなわち、ＳＲＳをΛＫ回送信する処理において）、ＳＲＳが、本出願のこの実施形態におけるＳＲＳの周波数ホッピング帯域幅に含まれる任意のＳＲＳ伝送サブ帯域幅において、Λ個のアンテナグループの各々を介して１回送信することができる特定の実装をより詳細に説明する。以下の例は、本出願の実施形態を実施例の特定の値または特定のシナリオに限定するのではなく、当業者が本出願の実施形態を理解するのを助けることを単に意図していることに留意されたい。当業者がこの例に基づいて種々の等価な修正または変更を行うことができることは明らかであり、そのような修正および変更もまた、本出願の実施形態の範囲内にある。
【０１５４】
図４は、本出願の別の実施形態による、サウンディング基準信号伝送方法の概略構造図である。図４に示すように、アンテナグループの数量Λが３であり、Ｋが１２である場合、端末デバイスは、アンテナ選択式（３）に従って、アンテナグループ０、アンテナグループ１、アンテナグループ２から１つのアンテナグループを選択してＳＲＳを送信し得る。
【０１５５】
図４を参照すると、例えば、ＳＲＳサブ帯域幅１（サブバンド１またはバンド１と呼ばれることもある）において、ＳＲＳを１回目に送信するためのアンテナグループのシーケンス番号（ｎSRS＝０）はアンテナグループ０であり、１３回目にＳＲＳを送信するためのアンテナグループのシーケンス番号（ｎSRS＝１２、すなわち（ｎSRS＋Ｋ））はアンテナグループ１であり、２５回目にＳＲＳを送信するためのアンテナグループのシーケンス番号（ｎSRS＝２４、すなわち（ｎSRS＋２Ｋ））はアンテナグループ２である。
【０１５６】
図４に示すように、ＳＲＳをＫΛ回送信する処理において、ＳＲＳは、同じサブ帯域幅（例えば、ＳＲＳサブ帯域幅１）において、Λ個のアンテナグループの各々を介して１回送信され得る。言い換えれば、ＳＲＳは、ＳＲＳの周波数ホッピング帯域幅に含まれる任意のＳＲＳ伝送サブ帯域幅において、Λ個のアンテナグループの各々を介して１回送信することができる。
【０１５７】
任意選択で、いくつかの実施形態において、アンテナグループの数量Λが２であるとき、これは、４つのアンテナポートをアンテナグループ０およびアンテナグループ１を含む２つのアンテナグループにグループ化し得ることを意味する。同時に、端末デバイスは、アンテナ選択式（３）に従ってアンテナグループ０およびアンテナグループ１のいずれかを択一的に選択してＳＲＳを送信してよく、その結果、ＳＲＳの周波数ホッピング帯域幅の測定を完了する処理において（すなわち、ＳＲＳをΛＫ回送信する処理において）、ＳＲＳは、ＳＲＳの周波数ホッピング帯域幅に含まれる任意のＳＲＳ伝送のサブ帯域幅において、Λ個のアンテナグループの各々を介して１回送信することができる。
【０１５８】
任意選択で、いくつかの実施形態において、端末デバイスは、次式に従って、Λ個のアンテナグループから、ＳＲＳを送信するためのアンテナグループのシーケンス番号ａ（ｎSRS）を択一的に選択し得る。
【０１５９】
【数４１】
2021520132.tif 000043
【０１６０】
ここで
【０１６１】
【数４２】
2021520132.tif 000044
【０１６２】
および
【０１６３】
【数４３】
2021520132.tif 000045
【０１６４】
であり、
【０１６５】
【数４４】
2021520132.tif 000046
【０１６６】
は
【０１６７】
【数４５】
2021520132.tif 000047
【０１６８】
をΛで除算して得られる余りを表すために使用される。
【０１６９】
任意選択で、いくつかの実施形態において、アンテナグループの数量Λが２であるとき、これは、４つのアンテナポートを、アンテナグループ０（Ａｎｔｅｎｎａ  ｇｒｏｕｐ  ０）とアンテナグループ１（Ａｎｔｅｎｎａ  ｇｒｏｕｐ  １）を含む２つのアンテナグループにグループ化し得ることを意味する。同時に、端末デバイスは、アンテナ選択式（４）に従って、アンテナグループ０およびアンテナグループ１のいずれかを択一的に選択して、ＳＲＳを送信し得る。
【０１７０】
任意選択で、いくつかの実施形態において、端末デバイスは、代わりに、次式に従って、Λ個のアンテナグループから、ＳＲＳを送信するためのアンテナグループシーケンス番号ａ（ｎSRS）を択一的に選択してよく、Λが３でありかつＫがΛの正の整数倍であるとき、ＳＲＳをＫΛ回送信する処理において、ＳＲＳは、ＳＲＳの周波数ホッピング帯域幅に含まれる任意のＳＲＳ伝送サブ帯域幅において、アンテナグループの各々を介して１回送信できる。
【０１７１】
【数４６】
2021520132.tif 000048
【０１７２】
ここで
【０１７３】
【数４７】
2021520132.tif 000049
【０１７４】
、および
【０１７５】
【数４８】
2021520132.tif 000050
【０１７６】
である。
【０１７７】
任意選択で、いくつかの実施形態において、端末デバイスは、次式に従って、Λ個のアンテナグループから、ＳＲＳを送信するためのアンテナグループのシーケンス番号ａ（ｎSRS）を択一的に選択してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限られた回数、例えばＫ回、ＳＲＳを送信する処理において、同じアンテナグループを介してＳＲＳを送信するために占有される２つの隣接するＳＲＳサブ帯域幅の間に比較的大きな周波数間隔が存在する可能性があり、その結果、ＳＲＳを送信するために同じアンテナグループの周波数ホッピング帯域幅から比較的離散的に分散されたＳＲＳサブ帯域幅が選択され、およびより広い帯域幅範囲内のチャネルサウンディングは、比較的少量のＳＲＳ伝送に対して実装でき、これによってチャネルサウンディングの効率と精度が向上する。
【０１７８】
【数４９】
2021520132.tif 000051
【０１７９】
ここで
【０１８０】
【数５０】
2021520132.tif 000052
【０１８１】
は
【０１８２】
【数５１】
2021520132.tif 000053
【０１８３】
をΛで除算して得られる余りを表すために使用される。
【０１８４】
ＳＲＳの周波数ホッピング帯域幅に含まれるＳＲＳ伝送サブ帯域幅の数量Ｋの値は、本出願のこの実施形態において特に限定されない。例では、Ｋはアンテナグループの数量Λの整数倍であり、パラメータの値αは１であってよく、そしていつＫがアンテナグループの数量Λ2の整数倍であるとき、パラメータの値βは１であってよい。
【０１８５】
特定の例に関し、以下では、アンテナ選択式（６）に従ってΛ個のアンテナグループからＳＲＳを送信するためのアンテナグループのシーケンス番号ａ（ｎSRS）が選択してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、限られた回数、例えばＫ回、ＳＲＳを送信する処理において、ＳＲＳを送信するために同じアンテナグループの周波数ホッピング帯域幅から比較的離散的に分散されたＳＲＳサブ帯域幅を選択することができ、その結果、比較的少量のＳＲＳ伝送に対してより広い帯域幅範囲内のチャネルサウンディングを実装でき、これによって本出願のこの実施形態において、チャネルサウンディングの効率および精度が向上する、特定の実装についてより詳細に説明する。以下の例は、本出願の実施形態を実施例の特定の値または特定のシナリオに限定するのではなく、当業者が本出願の実施形態を理解するのを助けることを単に意図していることに留意されたい。当業者が上記の例に基づいて種々の等価な修正または変更を行うことができることは明らかであり、そのような修正および変更もまた、本出願の実施形態の範囲内にある。
【０１８６】
図５は、本出願の別の実施形態による、サウンディング基準信号伝送方法の概略構造図である。図５に示すように、アンテナグループの数量Λが３であり、Ｋが９である場合、端末デバイスは、アンテナ選択式（６）に従って、３つのアンテナグループから１つのアンテナグループを選択してＳＲＳを送信してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限られた回数、例えばＫ回、ＳＲＳを送信する処理において、ＳＲＳを送信するために同じアンテナグループの周波数ホッピング帯域幅から比較的離散的に分散されたＳＲＳサブ帯域幅を選択することができ、その結果、比較的少量のＳＲＳ伝送に対してより広い帯域幅範囲内のチャネルサウンディングを実装でき、これによってチャネルサウンディングの効率および精度が向上する。
【０１８７】
図５を参照すると、アンテナグループの数量Λが３であり、Ｋが９である場合、例えば、ＳＲＳサブ帯域幅１（サブバンド１またはバンド１と呼ばれることもある）において、ＳＲＳを１回目に送信するためのアンテナグループのシーケンス番号（ｎSRS＝０）はアンテナグループ０であり、１０回目にＳＲＳを送信するためのアンテナグループのシーケンス番号（ｎSRS＝９、すなわち（ｎSRS＋Ｋ））はアンテナグループ１であり、１９回目にＳＲＳを送信するためのアンテナグループのシーケンス番号（ｎSRS＝１８、すなわち（ｎSRS＋２Ｋ））はアンテナグループ２である。別の例として、ＳＲＳをＫ回（９回）送信する処理において、同じアンテナグループ（例えば、アンテナグループ０）を介してＳＲＳを送信するために占有されるサブ帯域幅１とサブ帯域幅６との間には、比較的大きな周波数間隔がある。
【０１８８】
任意選択で、いくつかの実施形態において、アンテナグループの数量Λが２であるとき、これは、４つのアンテナポートをアンテナグループ０およびアンテナグループ１を含む２つのアンテナグループにグループ化し得ることを意味する。同時に、端末デバイスは、アンテナ選択式（２）に従ってアンテナグループ０およびアンテナグループ１のいずれかを択一的に選択してＳＲＳを送信してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限られた回数、例えばＫ回、ＳＲＳを送信する処理において、ＳＲＳを送信するために同じアンテナグループの周波数ホッピング帯域幅から比較的離散的に分散されたＳＲＳサブ帯域幅を選択することができ、その結果、比較的少量のＳＲＳ伝送に対してより広い帯域幅範囲内のチャネルサウンディングを実装でき、これによってチャネルサウンディングの効率および精度が向上する
【０１８９】
図５に示すように、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限られた回数、例えばＫ回、ＳＲＳを送信する処理において、ＳＲＳを送信するために同じアンテナグループの周波数ホッピング帯域幅から比較的離散的に分散されたＳＲＳサブ帯域幅を選択することができ、その結果、比較的少量のＳＲＳ伝送に対してより広い帯域幅範囲内のチャネルサウンディングを実装でき、これによってチャネルサウンディングの効率および精度が向上する。
【０１９０】
任意選択で、いくつかの実施形態において、端末デバイスは、次式に従って、Λ個のアンテナグループから、ＳＲＳを送信するためのアンテナグループのシーケンス番号ａ（ｎSRS）を択一的に選択してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限られた回数、例えばＫ回、ＳＲＳを送信する処理において、同じアンテナグループを介してＳＲＳを送信するために占有される２つの隣接するＳＲＳサブ帯域幅の間に比較的大きな周波数間隔が存在する可能性があり、その結果、ＳＲＳを送信するために同じアンテナグループの周波数ホッピング帯域幅から比較的離散的に分散されたＳＲＳサブ帯域幅が選択され、およびより広い帯域幅範囲内のチャネルサウンディングは、比較的少量のＳＲＳ伝送に対して実装できるため、チャネルサウンディングの効率と精度が向上する。
【０１９１】
【数５２】
2021520132.tif 000054
【０１９２】
ＳＲＳの周波数ホッピング帯域幅に含まれるＳＲＳ伝送サブ帯域幅の数量Ｋの値は、本出願のこの実施形態において特に限定されない。例では、Ｋがセット｛９，１２，１８｝内のいずれか１つであるとき、パラメータの値αは１であってよく、Ｋがアンテナグループの数量Λの整数倍であるとき、パラメータの値βは１であってよい。
【０１９３】
特定の例に関し、以下では、ＳＲＳを送信するための１つのアンテナグループのシーケンス番号ａ（ｎSRS）は、アンテナ選択式（３）に従ってΛ個のアンテナグループから選択してよく、その結果、ＳＲＳをΛＫ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限定された回数、例えばＫ回、ＳＲＳを送信する処理において、ＳＲＳを送信するために同じアンテナグループの周波数ホッピング帯域幅から比較的離散的に分散されたＳＲＳサブ帯域幅が選択され、その結果、より広い帯域幅範囲内のチャネルサウンディングを比較的少量のＳＲＳ伝送に対して実装でき、これによって本出願のこの実施形態においてチャネルサウンディングの効率および精度が向上する特定の実装をより詳細に説明する。以下の例は、本出願の実施形態を実施例の特定の値または特定のシナリオに限定するのではなく、当業者が本出願の実施形態を理解するのを助けることを単に意図していることに留意されたい。当業者がこの例に基づいて種々の等価な修正または変更を行うことができることは明らかであり、そのような修正および変更もまた、本出願の実施形態の範囲内にある。
【０１９４】
図６は、本出願の別の実施形態による、サウンディング基準信号伝送方法の概略構造図である。Ｋがセット｛９，１２，１８｝内のいずれか１つであるとき、図６に示すように、アンテナグループの数量Λは３でありかつＫが１２であるとき、端末デバイスは、アンテナ選択式（７）に従って、前述の３つのアンテナグループから１つのアンテナグループを選択してＳＲＳを送信してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して送信することができ、また、限られた回数、例えばＫ回、ＳＲＳを送信する処理において、ＳＲＳを送信するために同じアンテナグループの周波数ホッピング帯域幅から比較的離散的に分散されたＳＲＳサブ帯域幅を選択でき、その結果、より広い帯域幅範囲内のチャネルサウンディングは、比較的少量のＳＲＳ伝送に対して実装でき、これによってチャネルサウンディングの効率と精度が向上する。
【０１９５】
図６を参照すると、アンテナグループの数量Λが３でありかつＫが１２であるとき、例えば、ＳＲＳサブ帯域幅１（バンド１）では、ＳＲＳを１回目に送信するためのアンテナグループのシーケンス番号（ｎSRS＝０）はアンテナグループ０であり、１３回目にＳＲＳを送信するためのアンテナグループのシーケンス番号（ｎSRS＝１２、すなわち（ｎSRS＋Ｋ））はアンテナグループ２であり、２５回目にＳＲＳを送信するためのアンテナグループのシーケンス番号（ｎSRS＝２４、すなわち（ｎSRS＋２Ｋ））はアンテナグループ１である。
【０１９６】
任意選択で、いくつかの実施形態において、アンテナグループの数量Λが２であるとき、これは、４つのアンテナポートをアンテナグループ０およびアンテナグループ１を含む２つのアンテナグループにグループ化し得ることを意味する。ただちに、端末デバイスは、アンテナ選択式（２）に従ってアンテナグループ０およびアンテナグループ１のいずれかを択一的に選択してＳＲＳを送信してよく、その結果、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して送信することができ、また、限られた回数、例えばＫ回、ＳＲＳを送信する処理において、同じアンテナグループの周波数ホッピング帯域幅から比較的離散的に分散されたＳＲＳサブ帯域幅を選択でき、その結果、より広い帯域幅範囲内のチャネルサウンディングは、比較的少量のＳＲＳ伝送に対して実装でき、これによってチャネルサウンディングの効率と精度が向上する。
【０１９７】
図６に示すように、ＳＲＳをＫΛ回送信する処理において、ＳＲＳは、ＳＲＳの周波数ホッピング帯域幅に含まれる任意のＳＲＳ伝送サブ帯域幅において、Λ個のアンテナグループの各々を介して１回送信することができ、また、限られた回数、例えばＫ回、ＳＲＳを送信する処理において、同じアンテナグループの周波数ホッピング帯域幅から比較的離散的に分散されたＳＲＳサブ帯域幅を選択でき、その結果、より広い帯域幅範囲内のチャネルサウンディングは、比較的少量のＳＲＳ伝送に対して実装でき、これによってチャネルサウンディングの効率と精度が向上する。
【０１９８】
上記では、図１から図６までを参照して、本出願の実施形態において提供されるサウンディング基準信号伝送方法を詳細に説明している。以下、図７を参照して、本出願の実施形態において提供される端末デバイスを詳細に説明する。
【０１９９】
図７は、本出願の実施形態による端末デバイスの概略構造図である。図７の端末デバイス７００は、図１から図６の実施形態のいずれか１つに記載されているサウンディング基準信号伝送方法を実行し得る。図７の端末デバイス７００は、メモリ７１０、プロセッサ７２０、およびトランシーバ７３０を含み得る。メモリ７１０は、プログラムを格納するように構成してよく、プロセッサ７２０は、メモリ７１０に格納されたプログラムを実行するように構成してよい。メモリ７１０に格納されたプログラムが実行されると、プロセッサ７２０は、トランシーバ７３０を介して、前述の実施形態のいずれか１つに記載されたサウンディング基準信号伝送方法を実行し得る。
【０２００】
本出願の実施形態における「および／または」という用語は、関連するオブジェクトを説明するための関連関係のみを説明し、３つの関係が存在し得ることを表すことを理解されたい。例えば、Ａおよび／またはＢは、次の場合を表し得る。すなわち、Ａのみが存在する、ＡおよびＢの両方が存在する、ならびにＢのみが存在する。
【０２０１】
前述の実施形態において、プロセッサは、中央処理装置（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、本出願の解決策においてプログラム実行を制御するための１つまたは複数の集積回路、などであり得る。例えば、プロセッサは、デジタル信号プロセッサデバイス、マイクロプロセッサデバイス、アナログ−デジタルコンバータ、またはデジタル−アナログコンバータを含み得る。プロセッサは、デバイスのそれぞれの機能に基づいて、これらのデバイス間でモバイルデバイスの制御および信号処理機能を割り当て得る。さらに、プロセッサは、１つまたは複数のソフトウェアプログラムを操作するための機能を含んでよく、ソフトウェアプログラムは、メモリに格納され得る。
【０２０２】
メモリは、読み取り専用メモリ（ｒｅａｄ−ｏｎｌｙ  ｍｅｍｏｒｙ、ＲＯＭ）、静的情報および命令を格納できる別のタイプの静的記憶デバイス、ランダムアクセスメモリ（ｒａｎｄｏｍ  ａｃｃｅｓｓ  ｍｅｍｏｒｙ、ＲＡＭ）、または情報および命令を格納できる別のタイプの動的記憶デバイスであり得、または電気的に消去可能なプログラム可能な読み取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読み取り専用メモリ（ｃｏｍｐａｃｔ  ｄｉｓｃ  ｒｅａｄ−ｏｎｌｙ  ｍｅｍｏｒｙ、ＣＤ−ＲＯＭ）または別のコンパクトディスクストレージ、光ディスクストレージ（コンパクトディスク、レーザーディスク、光ディスク、デジタル多用途ディスク、Ｂｌｕ−ｒａｙディスクなどを含む）、磁気ディスク記憶媒体または別の磁気記憶デバイス、または予想されるプログラムコードを命令または信号構造の形式で搬送または格納するように構成でき、コンピュータからアクセスできるその他の任意の媒体であり得る。ただし、メモリはそれに限定されない。メモリは単独で存在する場合もあれば、プロセッサに統合される場合もある。
【０２０３】
トランシーバは、例えば、赤外線トランシーバ、ＲＦトランシーバ、ワイヤレスユニバーサルシリアルバス（ｕｎｉｖｅｒｓａｌ  ｓｅｒｉａｌ  ｂｕｓ、ＵＳＢ）トランシーバ、またはブルートゥーストランシーバを含み得る。図示されていないが、端末デバイスおよびネットワーク装置は、対応する通信技術を使用して、送信機を介して情報（または信号）を送信し、および／または受信機を介して情報（信号）を受信し得る。
【０２０４】
前述の実施形態のすべてまたはいくつかは、ソフトウェア、ハードウェア、ファームウェア、またはそれらの任意の組み合わせを介して実装し得る。ソフトウェアを使用して実施形態を実施する場合、実施形態は、コンピュータプログラム製品の形態で完全にまたは部分的に実施し得る。コンピュータプログラム製品は、１つまたは複数のコンピュータ命令を含む。コンピュータプログラム命令がコンピュータにロードされて実行されるとき、本発明の実施形態による手順または機能は、すべてまたは部分的に生成される。コンピュータは、汎用コンピュータ、専用コンピュータ、コンピュータネットワーク、または他のプログラム可能な装置であり得る。コンピュータ命令は、コンピュータ可読記憶媒体に記憶され得るか、またはコンピュータ可読記憶媒体から別のコンピュータ可読記憶媒体に伝送され得る。例えば、コンピュータ命令は、ウェブサイト、コンピュータ、サーバ、またはデータセンタから別のウェブサイト、コンピュータ、サーバ、またはデータセンタに有線（例えば、同軸ケーブル、光ファイバ、またはデジタル加入者回線（ｄｉｇｉｔａｌ  ｓｕｂｓｃｒｉｂｅｒ  ｌｉｎｅ、ＤＳＬ））または無線（例えば、赤外線、無線、またはマイクロ波）方式で伝送され得る。コンピュータ可読記憶媒体は、コンピュータによってアクセス可能な任意の使用可能な媒体、または１つまたは複数の使用可能な媒体を統合するサーバまたはデータセンタなどのデータ記憶装置であり得る。使用可能な媒体は、磁気媒体（例えば、フロッピーディスク、ハードディスク、または磁気テープ）、光学媒体（例えば、デジタルビデオディスク（ｄｉｇｉｔａｌ  ｖｉｄｅｏ  ｄｉｓｃ、ＤＶＤ））、半導体媒体（例えば、ソリッドステートドライブ（ｓｏｌｉｄ  ｓｔａｔｅ  ｄｉｓｋ、ＳＳＤ））などであり得る。
【０２０５】
当業者は、本明細書に開示された実施形態に記載された例と組み合わせて、ユニットおよびアルゴリズムステップが、電子ハードウェアまたはコンピュータソフトウェアと電子ハードウェアの組み合わせによって実装され得ることを認識し得る。機能がハードウェアで実行されるかソフトウェアで実行されるかは、特定のアプリケーションおよび技術的解決策の設計上の制約に依存する。当業者は、特定のアプリケーションごとに説明された機能を実装するために異なる方法を使用し得るが、実装が本出願の範囲を超えると考えるべきではない。
【０２０６】
便利で簡単な説明の目的で、前述のシステム、装置、およびユニットの詳細な作業処理について、前述の方法の実施形態における対応する処理を参照することは、当業者によって明確に理解され得る。詳細については、本明細書では再度説明しない。
【０２０７】
本出願で提供されるいくつかの実施形態において、開示されたシステム、装置、および方法は、他の方法で実施され得ることが理解されるべきである。例えば、記載された装置の実施形態は、単なる一例である。例えば、単位除算は単なる論理関数除算であり、実際の実装中では他の除算になる場合がある。例えば、複数のユニットまたはコンポーネントを組み合わせて、または別のシステムに統合してよく、あるいは、いくつかの機能を無視するか、または実行しなくてもよい。さらに、表示または説明されている相互結合または直接結合または通信接続は、いくつかのインターフェースを介して実装され得る。装置またはユニット間の間接的な結合または通信接続は、電子的、機械的、または他の形態で実装され得る。
【０２０８】
別個の部品として説明されるユニットは、物理的に別個である場合とそうでない場合があり、ユニットとして表示される部品は、物理ユニットである場合とそうでない場合があり、１つの位置に配置され得るか、または複数のネットワークユニットに分散され得る。ユニットのいくつかまたはすべては、実施形態の解決策の目的を達成するための実際の要件に基づいて選択され得る。
【０２０９】
さらに、本出願の実施形態における機能ユニットは、１つの処理ユニットに統合され得るか、またはユニットのそれぞれが物理的に単独で存在し得るか、または２つ以上のユニットが１つのユニットに統合され得る。
【０２１０】
機能がソフトウェア機能ユニットの形で実装され、独立した製品として販売または使用される場合、機能はコンピュータ可読記憶媒体に格納され得る。そのような理解に基づいて、本出願の技術的解決策は本質的に、または先行技術に寄与する部分は、または技術的解決策の一部は、ソフトウェア製品の形で実施され得る。コンピュータソフトウェア製品は、記憶媒体に格納され、コンピュータデバイス（パーソナルコンピュータ、サーバ、ネットワークデバイスなどであり得る）に、本出願の実施形態に記載されている方法のすべてまたはいくつかのステップを実行するように指示するためのいくつかの命令を含む。前述の記憶媒体は、ＵＳＢフラッシュドライブ、リムーバブルハードディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、または光ディスクを格納できる任意の媒体を含む。
【０２１１】
前述の説明は、本出願の特定の実装にすぎず、本出願の保護範囲を限定することを意図したものではない。本出願に開示された技術的範囲内で当業者によって容易に理解されるいかなる変形または置換も、本出願の保護範囲内に含まれるものとする。従って、本出願の保護範囲は、請求項の保護範囲に従うものとする。
【図１】
2021520132.tif 000087
【図２】
2021520132.tif 000088
【図３】
2021520132.tif 000089
【図４】
2021520132.tif 000090
【図５】
2021520132.tif 000091
【図６】
2021520132.tif 000092
【図７】
2021520132.tif 000093
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
サウンディング基準信号伝送方法であって、
サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することにより、前記ＳＲＳを２Λ回送信する処理において、前記Λ個のアンテナグループの各々を介して前記ＳＲＳが少なくとも１回送信されるようにするステップであって、ｎSRSは０以上の整数であり、Λは３以上の正の整数である、ステップと、
ｎSRS回目のＳＲＳ伝送中に、シーケンス番号がａ（ｎSRS）である前記アンテナグループに含まれるアンテナポートを介して前記ＳＲＳを送信するステップと、
を含む、方法。
【請求項２】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記ＳＲＳの前記伝送量のシーケンス番号ｎSRS、前記アンテナグループの数量Λ、および前記ＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択することにより、（ｎSRS＋ｉＫ）回目に前記ＳＲＳを送信するアンテナグループのシーケンス番号ａ（ｎSRS＋ｉＫ）と（ｎSRS＋（ｉ−１）Ｋ）回目に前記ＳＲＳを送信するアンテナグループのシーケンス番号ａ（ｎSRS＋（ｉ−１）Ｋ）とが異なるように、および／または前記（ｎSRS＋ｉＫ）回目に前記ＳＲＳを送信する前記アンテナグループの前記シーケンス番号ａ（ｎSRS＋ｉＫ）と（ｎSRS＋（ｉ＋１）Ｋ）回目に前記ＳＲＳを送信するアンテナグループのシーケンス番号ａ（ｎSRS＋（ｉ＋１）Ｋ）とが異なるようにするステップであって、１≦ｉ≦（Λ−２）であり、Ｋは０より大きい正の整数である、ステップを含む、請求項１に記載の方法。
【請求項３】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
前記ＳＲＳの前記伝送量のシーケンス番号ａ（ｎSRS）および前記アンテナグループの数量Λに基づいて、前記Λ個のアンテナグループからシーケンス番号がａ（ｎSRS）である前記アンテナグループを選択することにより、ｎSRS回目に前記ＳＲＳを送信するための前記アンテナグループのシーケンス番号ａ（ｎSRS）と、（ｎSRS＋Λ）回目に前記ＳＲＳを送信するためのアンテナグループのシーケンス番号ａ（ｎSRS＋Λ）とが異なるようにするステップを含む、請求項１に記載の方法。
【請求項４】
前記ＳＲＳの前記伝送量のシーケンス番号ｎSRS、前記アンテナグループの数量Λ、および前記ＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択するステップは、
ＫがΛの整数倍であるとき、次式：
【数１】
2021520132.tif 000094
に従って、前記ＳＲＳを送信するための前記アンテナグループのシーケンス番号ａ（ｎSRS）を決定するステップを含み、
【数２】
2021520132.tif 000095
2021520132.tif 000096
は（ｎSRS/Ｋ）以下の最大の整数を表すために使用され、
【数３】
2021520132.tif 000097
は
【数４】
2021520132.tif 000098
をΛで除算することにより得られる余りを表すために使用される、請求項２に記載の方法。
【請求項５】
前記ＳＲＳの前記伝送量のシーケンス番号ｎSRSおよび前記アンテナグループの数量Λに基づいて、前記Λ個のアンテナグループの中からシーケンス番号がａ（ｎSRS）である前記アンテナグループを選択するステップは、
ＫがΛの整数倍であるとき、次式：
【数５】
2021520132.tif 000099
に従って、前記ＳＲＳを送信するための前記アンテナグループのシーケンス番号ａ（ｎSRS）を決定するステップを含み、
【数６】
2021520132.tif 000100
は（ｎSRS/Λ）以下の正の最大の整数を表すために使用され、
【数７】
2021520132.tif 000101
は
【数８】
2021520132.tif 000102
をΛで除算することにより得られる余りを表すために使用される、請求項３に記載の方法。
【請求項６】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
次式：
【数９】
2021520132.tif 000103
に従って、前記ＳＲＳを送信するための前記アンテナグループのシーケンス番号ａ（ｎSRS）を決定するステップを含み、
【数１０】
2021520132.tif 000104
【数１１】
2021520132.tif 000105
であり、
【数１２】
2021520132.tif 000106
は
【数１３】
2021520132.tif 000107
をΛで除算して得られる余りを表すために使用される、請求項１から３のいずれか一項に記載の方法。
【請求項７】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
次式：
【数１４】
2021520132.tif 000108
に従って、前記ＳＲＳを送信するための前記アンテナグループのシーケンス番号ａ（ｎSRS）を決定するステップを含み、
【数１５】
2021520132.tif 000109
【数１６】
2021520132.tif 000110
である、請求項１から３のいずれか一項に記載の方法。
【請求項８】
サウンディング基準信号ＳＲＳの伝送量のシーケンス番号ｎSRSおよびアンテナグループの数量Λに基づいて、前記Λ個のアンテナグループの中からシーケンス番号がａ（ｎSRS）であるアンテナグループを選択するステップは、
次式：
ａ（ｎSRS）＝ｎSRS  ｍｏｄΛ
に従って、前記ＳＲＳを送信するための前記アンテナグループのシーケンス番号ａ（ｎSRS）を決定するステップを含み、
ｎSRS  ｍｏｄΛ はｎSRSをΛで除算して得られる余りを表すために使用される、請求項１に記載の方法。
【請求項９】
前記Λ個のアンテナグループの各々は、少なくとも２つの異なるアンテナポートを含み、前記Λ個のアンテナグループは、端末デバイスのすべてのアンテナポートを含む、請求項１から８のいずれか一項に記載の方法。
【請求項１０】
プロセッサと、
前記プロセッサに結合され、前記プロセッサによる実行のためのプログラミング命令を記憶した非一時的コンピュータ可読記憶媒体と
を備えた端末デバイスであって、前記プログラミング命令は、前記プロセッサに、
サウンディング基準信号ＳＲＳの伝送量のシーケンス番号ｎSRSおよびアンテナグループの数量Λに基づいて、Λ個のアンテナグループの中からシーケンス番号がａ（ｎSRS）であるアンテナグループを選択することにより、前記ＳＲＳを２Λ回送信する処理において、前記Λ個のアンテナグループの各々を介して前記ＳＲＳが少なくとも１回送信されるようにすることであって、ｎSRSは０以上の整数であり、Λは３以上の正の整数であることと、
ｎSRS回目のＳＲＳ伝送中に、トランシーバに、シーケンス番号がａ（ｎSRS）である前記アンテナグループに含まれるアンテナポートを介して前記ＳＲＳを送信させることと、
を指示する、端末デバイス。
【請求項１１】
前記プログラミング命令は、前記プロセッサに、
前記ＳＲＳの前記伝送量のシーケンス番号ｎSRS、前記アンテナグループの数量Λ、および前記ＳＲＳの周波数ホッピング帯域幅に含まれるＳＲＳの伝送サブ帯域幅の数量Ｋに基づいて、前記Λ個のアンテナグループの中からシーケンス番号がａ（ｎSRS）である前記アンテナグループを選択することを指示することにより、（ｎSRS＋ｉＫ）回目に前記ＳＲＳを送信するアンテナグループのシーケンス番号ａ（ｎSRS＋ｉＫ）と（ｎSRS＋（ｉ−１）Ｋ）回目に前記ＳＲＳを送信するアンテナグループのシーケンス番号ａ（ｎSRS＋（ｉ−１）Ｋ）とが異なるように、および／または（ｎSRS＋ｉＫ）回目に前記ＳＲＳを送信する前記アンテナグループの前記シーケンス番号ａ（ｎSRS＋ｉＫ）と（ｎSRS＋（ｉ＋１）Ｋ）回目に前記ＳＲＳを送信するアンテナグループのシーケンス番号ａ（ｎSRS＋（ｉ＋１）Ｋ）とが異なるようにし、１≦ｉ≦（Λ−２）であり、Ｋは０より大きい正の整数である、請求項１０に記載のデバイス。
【請求項１２】
前記プログラミング命令は、前記プロセッサに、
前記ＳＲＳの前記伝送量のシーケンス番号ａ（ｎSRS）および前記アンテナグループの数量Λに基づいて、前記Λ個のアンテナグループからシーケンス番号がａ（ｎSRS）である前記アンテナグループを選択するステップを実行することを指示することにより、ｎSRS回目に前記ＳＲＳを送信するための前記アンテナグループのシーケンス番号ａ（ｎSRS）と、（ｎSRS＋Λ）回目にＳＲＳを送信するためのアンテナグループのシーケンス番号ａ（ｎSRS＋Λ）が異なるようにする、請求項１０に記載のデバイス。
【請求項１３】
前記プログラミング命令は、前記プロセッサに、
ＫがΛの整数倍であるとき、次式：
【数１７】
2021520132.tif 000111
に従って、前記ＳＲＳを送信するための前記アンテナグループのシーケンス番号ａ（ｎSRS）を決定するステップを実行することを指示し、
【数１８】
2021520132.tif 000112
は（ｎSRS/Ｋ）以下の最大の整数を表すために使用され、
【数１９】
2021520132.tif 000113
は
【数２０】
2021520132.tif 000114
をΛで除算することにより得られる余りを表すために使用される、請求項１１に記載のデバイス。
【請求項１４】
前記プログラミング命令は、前記プロセッサに、
ＫがΛの整数倍であるとき、次式：
【数２１】
2021520132.tif 000115
に従って、前記ＳＲＳを送信するための前記アンテナグループのシーケンス番号ａ（ｎSRS）を決定するステップを実行することを指示し、
【数２２】
2021520132.tif 000116
は（ｎSRS/Λ）以下の正の最大の整数を表すために使用され、
【数２３】
2021520132.tif 000117
は
【数２４】
2021520132.tif 000118
をΛで除算することにより得られる余りを表すために使用される、請求項１２に記載のデバイス。
【請求項１５】
前記プログラミング命令は、前記プロセッサに、
次式：
【数２５】
2021520132.tif 000119
に従って、前記ＳＲＳを送信するための前記アンテナグループのシーケンス番号ａ（ｎSRS）を決定するステップを実行することを指示し、
【数２６】
2021520132.tif 000120
【数２７】
2021520132.tif 000121
であり、
【数２８】
2021520132.tif 000122
は
【数２９】
2021520132.tif 000123
をΛで除算して得られる余りを表すために使用される、請求項１０から１２のいずれか一項に記載のデバイス。
【請求項１６】
前記プログラミング命令は、前記プロセッサに、
次式：
【数３０】
2021520132.tif 000124
に従って、前記ＳＲＳを送信するための前記アンテナグループのシーケンス番号ａ（ｎSRS）を決定するステップを実行することを指示し、
【数３１】
2021520132.tif 000125
【数３２】
2021520132.tif 000126
である、請求項１０から１２のいずれか一項に記載のデバイス。
【請求項１７】
前記プログラミング命令は、前記プロセッサに、
次式：
ａ（ｎSRS）＝ｎSRS  ｍｏｄΛ
に従って、前記ＳＲＳを送信するための前記アンテナグループのシーケンス番号ａ（ｎSRS）を決定するステップを実行することを指示し、
ｎSRS  ｍｏｄΛ はｎSRSをΛで除算して得られる余りを表すために使用される、請求項１０に記載のデバイス。
【請求項１８】
前記Λ個のアンテナグループの各々は、少なくとも２つの異なるアンテナポートを含み、前記Λ個のアンテナグループは、前記端末デバイスのすべてのアンテナポートを含む、請求項１０から１７のいずれか一項に記載のデバイス。
【請求項１９】
メモリ、プロセッサ、およびトランシーバを備え、
前記メモリは、プログラムを記憶するように構成され、
前記プロセッサは、前記メモリに記憶されたプログラムを実行するように構成され、前記プログラムが実行されると、前記プロセッサは、前記トランシーバを介して請求項１から９のいずれか一項に記載の方法を実行する、端末デバイス。
【請求項２０】
メモリとプロセッサとを備えたチップであった、
前記メモリはプログラムを記憶するように構成され、
前記プロセッサは前記メモリに記憶された前記プログラムを実行するように構成され、前記プログラムが実行されるとき、前記プロセッサは請求項１から９のいずれか一項に記載の方法を実行する、チップ。
【請求項２１】
コンピュータ命令を含み、前記コンピュータ命令が端末デバイス上で実行されるとき、前記端末デバイスは、請求項１から９のいずれか一項に記載の方法を実行することが可能になる、コンピュータ可読記憶媒体。
【手続補正２】
【補正対象書類名】明細書
【補正対象項目名】００９０
【補正方法】変更
【補正の内容】
【００９０】
本出願の実施形態において、端末デバイスのタイプは特に限定されず、端末デバイスは、ネットワークデバイスと通信するように構成された任意のデバイスであり得る。端末デバイスは、例えば、ユーザ機器、アクセス端末、端末デバイス、加入者ユニット、加入者局、移動局、リモート局、リモート端末、移動デバイス、ユーザ端末、ワイヤレスネットワークデバイス、ユーザエージェント、またはユーザ装置であり得る。端末には、リレーノード（ｒｅｌａｙ  ｎｏｄｅ）、モバイルステーション（ｍｏｂｉｌｅ  ｓｔａｔｉｏｎ、ＭＳ）、移動電話（ｍｏｂｉｌｅ  ｔｅｌｅｐｈｏｎｅ）、ユーザ機器（ｕｓｅｒ  ｅｑｕｉｐｍｅｎｔ、ＵＥ）、ハンドセット（ｈａｎｄｓｅｔ）、携帯機器（ｐｏｒｔａｂｌｅ  ｅｑｕｉｐｍｅｎｔ）、セルラーフォン、コードレス電話、セッション開始プロトコル（ｓｅｓｓｉｏｎ  ｉｎｉｔｉａｔｉｏｎ  ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）ステーション、携帯情報端末（ｐｅｒｓｏｎａｌ  ｄｉｇｉｔａｌ  ａｓｓｉｓｔａｎｔ、ＰＤＡ）、ロジスティクスに使用される無線周波数認識装置（ｒａｄｉｏ  ｆｒｅｑｕｅｎｃｙ  ｉｄｅｎｔｉｆｉｃａｔｉｏｎ、ＲＦＩＤ）端末デバイス、ワイヤレス通信機能を備えたハンドヘルドデバイス、コンピューティングデバイス、ワイヤレスモデムに接続された別のデバイス、車載デバイス、ウェアラブルデバイス、モノのインターネットまたは車両のインターネットの端末デバイス、将来の５Ｇネットワークの端末デバイス、将来の進化型公衆携帯電話網（ｐｕｂｌｉｃ  ｌａｎｄ  ｍｏｂｉｌｅ  ｎｅｔｗｏｒｋ、ＰＬＭＮ）の端末デバイスなどが含まれ得るが、これらに限定されない。
【国際調査報告】
2021520132.tif 000127
2021520132.tif 000128
2021520132.tif 000129
2021520132.tif 000130